(57)【要約】      （修正有）【課題】ＡＰとＳＴＡとの１次リンク送信に並行して、２次または再使用リンクを通して、他のＡＰおよび他のＳＴＡによる通信のスループットおよび再使用を増加させる方法を提供する。【解決手段】ＡＰ１は、ＡＰ０からの第１のメッセージ（ＲＴＳ）４０２を受信し、受信したＲＴＳから、ＡＰ０が第２のメッセージ（データ）４０６をＳＴＡ０に送信する時間を決定する。さらに、ＡＰ１はＳＴＡ０からの第３のメッセージ（ＣＴＳ）４０４を受信し、ＣＴＳはＳＴＡ０における通信チャネルを決定するためのトレーニング情報を含んでおり、ＡＰ１は、このトレーニング情報に部分的に基づいて、ＳＴＡ０における干渉をゼロにするように、ビーム形成されたＳＴＡ１へのメッセージ４０８をスケジューリングする。【選択図】図４
2019208237.tif 000002
【特許請求の範囲】
【請求項１】
ワイヤレス通信の方法において、
第１のデバイスから第１のメッセージを受信し、前記第１のメッセージは、前記第１のデバイスから第２のデバイスへの、第２のメッセージの送信を示すことと、
前記第２のデバイスから第３のメッセージを受信し、前記第３のメッセージは、前記第２のデバイスにおける通信チャネルを決定するためのトレーニング情報を含むことと、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させることと、
前記第２のメッセージの送信と並行して、前記ビーム形成されたメッセージの第３のデバイスへの送信をスケジューリングすることとを含む方法。
【請求項２】
前記ビーム形成されたメッセージは、物理レイヤデータユニット（ＰＰＤＵ）を含む請求項１記載の方法。
【請求項３】
前記ビーム形成されたメッセージの送信をスケジューリングすることは、前記ビーム形成されたメッセージが、前記第３のメッセージと同時にその送信を完了するように、前記ビーム形成されたメッセージをスケジューリングすることを含む請求項１記載の方法。
【請求項４】
前記ビーム形成されたメッセージを２本以上のアンテナを通して送信することをさらに含む請求項１記載の方法。
【請求項５】
前記第１のメッセージは、前記第２のメッセージの送信のための空間ストリームの数をさらに示す請求項１記載の方法。
【請求項６】
前記第２のメッセージの送信のための空間ストリームの数に少なくとも部分的に基づいて、前記ビーム形成されたメッセージを選択的に送信することをさらに含む請求項５記載の方法。
【請求項７】
前記第１のメッセージは、前記ビーム形成されたメッセージを発生させる、通信リンク中の少なくとも１つの送信機をさらに示す請求項１記載の方法。
【請求項８】
前記第１のメッセージは、前記通信リンク中のそれぞれ示された送信機に対応する受信機をさらに示す請求項７記載の方法。
【請求項９】
前記第１のメッセージは、搬送波感知多元接続（ＣＳＭＡ）を介して送信することができ、または、ＣＳＭＡを介して前記第１のデバイスによって送られた以前のメッセージに続くことができる請求項１記載の方法。
【請求項１０】
前記ビーム形成されたメッセージの送信をスケジューリングすることは、前記第２のメッセージのプリアンブル部分の後に、前記ビーム形成されたメッセージの送信をスケジューリングすることを含む請求項１記載の方法。
【請求項１１】
第４のメッセージを送信し、前記第４のメッセージは、送信レートに対応する空間ストリーム毎の信号対干渉プラス雑音比（ＳＩＮＲ）を推定するためのトレーニング情報を含むことと、
前記第４のメッセージに応答して、前記第３のデバイスから第５のメッセージを受信し、前記第５のメッセージは、推定されたＳＩＮＲと送信レートとを含むこととをさらに含む請求項１記載の方法。
【請求項１２】
前記第２のデバイスから第６のメッセージを受信することをさらに含み、
前記第６のメッセージは、前記第１および前記第４のメッセージに基づいており、前記第１のデバイスによる前記第２のメッセージの送信のための、推定されたＳＩＮＲと送信レートとを含む請求項１１記載の方法。
【請求項１３】
前記第２のメッセージ中の表示に少なくとも部分的に基づいて、前記ビーム形成されたメッセージを選択的に送信することをさらに含む請求項１１記載の方法。
【請求項１４】
前記第３のデバイスのアンテナの数に基づいて、前記第３のデバイスを選択することをさらに含む請求項１記載の方法。
【請求項１５】
前記第３のデバイスを選択することは、前記第１のデバイスから前記第３のデバイスへのパス損失に基づいて、前記第３のデバイスを選択することをさらに含む請求項１４記載の方法。
【請求項１６】
前記第３のデバイスを選択することは、前記ビーム形成されたメッセージの受信の間、ビーム形成パターンが前記第１のデバイスにおける干渉をゼロにすることを実行するように、前記ビーム形成パターンを発生させるのに十分なアンテナを有する前記第３のデバイスに基づいて、前記第３のデバイスを選択することを含む請求項１４記載の方法。
【請求項１７】
ワイヤレス通信の装置において、
第１のデバイスから第１のメッセージを受信し、前記第１のメッセージは、前記第１のデバイスから第２のデバイスへの、第２のメッセージの送信を示すように構成され、前記第２のデバイスから第３のメッセージを受信し、前記第３のメッセージは、前記第２のデバイスにおける通信チャネルを決定するためのトレーニング情報を含むようにさらに構成されている受信機と、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させるように構成されているプロセッサとを具備し、
前記プロセッサは、前記第２のメッセージの送信と並行して、前記ビーム形成されたメッセージの第３のデバイスへの送信をスケジューリングするようにさらに構成されている装置。
【請求項１８】
前記プロセッサは、前記ビーム形成されたメッセージが、前記第３のメッセージと同時にその送信を完了するように、前記ビーム形成されたメッセージをスケジューリングするようにさらに構成されている請求項１７記載の装置。
【請求項１９】
前記第１のメッセージは、前記第２のメッセージの送信のための空間ストリームの数をさらに示す請求項１７記載の装置。
【請求項２０】
前記第２のメッセージの送信のための空間ストリームの数に少なくとも部分的に基づいて、前記ビーム形成されたメッセージを選択的に送信することをさらに含む請求項１９記載の装置。
【請求項２１】
前記第１のメッセージは、前記ビーム形成されたメッセージを発生させる、通信リンク中の少なくとも１つの送信機をさらに示す請求項１７記載の装置。
【請求項２２】
前記プロセッサは、前記第２のメッセージのプリアンブル部分の後に、前記ビーム形成されたメッセージの送信をスケジューリングするようにさらに構成されている請求項１７記載の装置。
【請求項２３】
第４のメッセージを送信するように構成されている送信機をさらに具備し、前記第４のメッセージは、送信レートに対応する空間ストリーム毎の信号対干渉プラス雑音比（ＳＩＮＲ）を推定するためのトレーニング情報を含み、
前記受信機は、前記第４のメッセージに応答して、前記第３のデバイスから第５のメッセージを受信するようにさらに構成され、
前記第５のメッセージは、推定されたＳＩＮＲと送信レートとを含む請求項１７記載の装置。
【請求項２４】
前記受信機は、前記第２のデバイスから第６のメッセージを受信するようにさらに構成され、
前記第６のメッセージは、前記第１および前記第４のメッセージに基づいており、前記第１のデバイスによる前記第２のメッセージの送信のための、推定されたＳＩＮＲと送信レートとを含む請求項２３記載の装置。
【請求項２５】
送信機は、前記第２のメッセージ中の表示に少なくとも部分的に基づいて、前記ビーム形成されたメッセージを選択的に送信するようにさらに構成されている請求項１７記載の装置。
【請求項２６】
前記プロセッサは、前記第３のデバイスのアンテナの数に基づいて、前記第３のデバイスを選択するようにさらに構成されている請求項１７記載の装置。
【請求項２７】
前記プロセッサは、前記第１のデバイスから前記第３のデバイスへのパス損失に基づいて、前記第３のデバイスを選択するようにさらに構成されている請求項２６記載の装置。
【請求項２８】
前記プロセッサは、前記ビーム形成されたメッセージの受信の間、ビーム形成パターンが前記第１のデバイスにおける干渉をゼロにすることを実行するように、前記ビーム形成パターンを発生させるのに十分なアンテナを有する前記第３のデバイスに基づいて、前記第３のデバイスを選択するようにさらに構成されている請求項２６記載の装置。
【請求項２９】
ワイヤレス通信の装置において、
第１のデバイスから第１のメッセージを受信し、前記第１のメッセージは、前記第１のデバイスから第２のデバイスへの、第２のメッセージの送信を示す手段と、
前記第２のデバイスから第３のメッセージを受信し、前記第３のメッセージは、前記第２のデバイスにおける通信チャネルを決定するためのトレーニング情報を含む手段と、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させる手段と、
前記第２のメッセージの送信と並行して、前記ビーム形成されたメッセージの第３のデバイスへの送信をスケジューリングする手段とを具備する装置。
【請求項３０】
命令を含む非一時的コンピュータ読取可能媒体において、命令は、実行されるとき、プロセッサに、
第１のデバイスから第１のメッセージを受信し、前記第１のメッセージは、前記第１のデバイスから第２のデバイスへの、第２のメッセージの送信を示すことと、
前記第２のデバイスから第３のメッセージを受信し、前記第３のメッセージは、前記第２のデバイスにおける通信チャネルを決定するためのトレーニング情報を含むことと、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させることと、
前記第２のメッセージの送信と並行して、前記ビーム形成されたメッセージの第３のデバイスへの送信をスケジューリングすることとの方法を実行させる非一時的コンピュータ読取可能媒体。
【発明の詳細な説明】
【分野】
【０００１】
［０００１］
本願は一般的に、ワイヤレス通信に関連し、より具体的には、ワイヤレス通信における再使用を増加させるためのシステム、方法、およびデバイスに関連する。
【背景】
【０００２】
［０００２］
多くの電気通信システムにおいて、通信ネットワークを使用して、空間的に離れているいくつかの対話するデバイス間でメッセージが交換される。ネットワークは地理的範囲にしたがって分類することができ、地理的範囲は、例えば、メトロポリタンエリア、ローカルエリア、または、パーソナルエリアである。このようなネットワークは、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、または、パーソナルエリアネットワーク（ＰＡＮ）として、それぞれ呼ばれるだろう。ネットワークは、さまざまなネットワークノードとデバイスとを相互接続するために使用されるスイッチング／ルーティング技術（例えば、回線交換対パケット交換）にしたがって、送信に対して用いられる物理媒体のタイプ（例えば、ワイヤード対ワイヤレス）にしたがって、使用される通信プロトコルのセット（例えば、インターネットプロトコルスーツ、ＳＯＮＥＴ（同期光ネットワーキング）、イーサネット（登録商標）等）にしたがっても異なる。
【０００３】
［０００３］
ネットワークエレメントが移動体であり、したがって、動的接続性の必要性を有するときに、または、ネットワークアーキテクチャが固定のトポロジーよりむしろアドホックのトポロジーで形成される場合に、ワイヤレスネットワークが好まれることが多い。ワイヤレスネットワークは、無線、マイクロ波、赤外線、光等の周波数帯域における電磁波を使用する、無誘導伝播モードにおける無形の物理媒体を用いる。ワイヤレスネットワークは、固定のワイヤードネットワークと比較されるとき、ユーザ移動性および迅速なフィールド配備を有利に促進する。
【０００４】
［０００４］
しかしながら、同じビルディング中に、近くのビルディング中に、および／または、同じ屋外エリア中に、複数のワイヤレスネットワークが存在するかもしれない。複数のワイヤレスネットワークの普及は、（例えば、各ワイヤレスネットワークが同じエリアおよび／またはスペクトル中で動作することから）干渉、低減されたスループットをもたらすかもしれず、および／または、あるデバイスが通信することを妨げるかもしれない。したがって、ワイヤレスネットワークが密集しているときに、通信のための改善されたシステム、方法、およびデバイスが望まれる。
【概要】
【０００５】
［０００５］
添付した特許請求の範囲内のシステム、方法、およびデバイスのさまざまなインプリメンテーションはそれぞれ、いくつかの態様を有しており、これらのうちの単一のもののみが、ここで説明する望ましい属性を担っているわけではない。添付した特許請求の範囲を限定することなく、いくつかの顕著な特徴をここで説明する。
【０００６】
［０００６］
本明細書中で説明する主題事項の１つ以上のインプリメンテーションの詳細を、付随する図面および以下の説明において述べる。他の特徴、態様、および利点が、説明、図面、および特許請求の範囲から明白となるだろう。以下の図面の相対的な大きさは、スケーリングされて描かれているものではないことに留意されたい。
【０００７】
［０００７］
本開示で説明する主題事項の１つの態様は、ワイヤレス通信のための方法を提供している。方法は、第１のデバイスから第１のメッセージを受信することを含み、第１のメッセージは、第１のデバイスから第２のデバイスへの、第２のメッセージの送信を示している。方法は、第２のデバイスから第３のメッセージを受信することをさらに含み、第３のメッセージは、第２のデバイスにおける通信チャネルを決定するためのトレーニング情報を含んでいる。方法は、ビーム形成されたメッセージが、第２のデバイスにおける干渉をゼロにするように、トレーニング情報に少なくとも部分的基づいて、ビーム形成されたメッセージを発生させることをさらに含んでいる。方法は、第２のメッセージの送信と並行して、ビーム形成されたメッセージの第３のデバイスへの送信をスケジューリングすることをさらに含んでいる。
【０００８】
［０００８］
本開示中で説明する主題事項の別の態様は、ワイヤレス通信の装置を提供している。装置は、第１のデバイスから第１のメッセージを受信するように構成されている受信機を具備している。第１のメッセージは、第１のデバイスから第２のデバイスへの、第２のメッセージの送信を示している。受信機は、第２のデバイスから第３のメッセージを受信するようにさらに構成されている。第３のメッセージは、第２のデバイスにおける通信チャネルを決定するためのトレーニング情報を含んでいる。装置は、ビーム形成されたメッセージが、第２のデバイスにおける干渉をゼロにするように、トレーニング情報に少なくとも部分的に基づいて、ビーム形成されたメッセージを発生させるように構成されているプロセッサをさらに含んでいる。プロセッサは、第２のメッセージの送信と並行して、ビーム形成されたメッセージの第３のデバイスへの送信をスケジューリングするようにさらに構成されている。
【０００９】
［０００９］
本開示中で説明する主題事項の別の態様は、ワイヤレス通信の装置を提供している。装置は、第１のデバイスから第１のメッセージを受信する手段を具備している。第１のメッセージは、第１のデバイスから第２のデバイスへの、第２のメッセージの送信を示している。装置は、第２のデバイスから第３のメッセージを受信する手段をさらに具備している。第３のメッセージは、第２のデバイスにおける通信チャネルを決定するためのトレーニング情報を含んでいる。装置は、ビーム形成されたメッセージが、第２のデバイスにおける干渉をゼロにするように、トレーニング情報に少なくとも部分的に基づいて、ビーム形成されたメッセージを発生させる手段をさらに具備している。装置は、第２のメッセージの送信と並行して、ビーム形成されたメッセージの第３のデバイスへの送信をスケジューリングする手段をさらに具備している。
【００１０】
［００１０］
本開示中で説明する主題事項の別の態様は、非一時的コンピュータ読取可能媒体を提供している。媒体は、命令が実行されるとき、プロセッサに、第１のデバイスから第１のメッセージを受信する方法を実行させる命令を含み、第１のメッセージは、第１のデバイスから第２のデバイスへの、第２のメッセージの送信を示している。媒体は、命令が実行されるとき、プロセッサに、第２のデバイスから第３のメッセージを受信する方法を実行させる命令をさらに含み、第３のメッセージは、第２のデバイスにおける通信チャネルを決定するためのトレーニング情報を含んでいる。媒体は、命令が実行されるとき、プロセッサに、ビーム形成されたメッセージが、第２のデバイスにおける干渉をゼロにするように、トレーニング情報に少なくとも部分的に基づいて、ビーム形成されたメッセージを発生させる方法を実行させる命令をさらに含んでいる。媒体は、命令が実行されるとき、プロセッサに、第２のメッセージの送信と並行して、ビーム形成されたメッセージの第３のデバイスへの送信をスケジューリングする方法を実行させる命令をさらに含んでいる。
【図面の簡単な説明】
【００１１】
【図１】［００１１］  図１は、本開示の態様が用いられているワイヤレス通信システムの例を図示している。
【図２】［００１２］  図２は、複数のワイヤレス通信ネットワークが存在するワイヤレス通信システムを図示している。
【図３】［００１３］  図３は、ワイヤレス通信システム内で用いられてもよいワイヤレスデバイス中で利用できるさまざまなコンポーネントを図示している。
【図４】［００１４］  図４は、アクセスポイント（ＡＰ）と局（ＳＴＡ）との間のメッセージの交換を図示したシーケンスダイヤグラムである。
【図５】［００１５］  図５は、複数のワイヤレスデバイスが存在するワイヤレス通信システムにおける例示的な送信を図示したダイヤグラムである。
【図６】［００１６］  図６は、一般的な複数入力複数出力（ＭＩＭＯ）システムを図示したダイヤグラムである。
【図７】［００１７］  図７は、複数のワイヤレスデバイスが存在するワイヤレス通信システムにおける例示的な送信を図示したダイヤグラムである。
【図８】［００１８］  図８は、ＡＰとＳＴＡとの間のメッセージの交換を図示したシーケンスダイヤグラムである。
【図９】［００１９］  図９は、ＡＰとＳＴＡとの間のメッセージの交換を図示したシーケンスダイヤグラムである。
【図１０】［００２０］  図１０は、ＡＰとＳＴＡとの間のメッセージの交換を図示したシーケンスダイヤグラムである。
【図１１】［００２１］  図１１は、ＡＰとＳＴＡとの間のメッセージの交換を図示したシーケンスダイヤグラムである。
【図１２】［００２２］  図１２は、複数のワイヤレスデバイスが存在するワイヤレス通信システムにおける例示的な送信を図示したダイヤグラムである。
【図１３】［００２３］  図１３は、複数のワイヤレスデバイスが存在するワイヤレス通信システムにおける例示的な送信を図示したダイヤグラムである。
【図１４】［００２４］  図１４は、ＡＰとＳＴＡとの間のメッセージの交換を図示したシーケンスダイヤグラムである。
【図１５】［００２５］  図１５は、ＡＰとＳＴＡとの間のメッセージの交換を図示したシーケンスダイヤグラムである。
【図１６】［００２６］  図１６は、ＡＰとＳＴＡとの間のメッセージの交換を図示したシーケンスダイヤグラムである。
【図１７】［００２７］  図１７は、ＡＰとＳＴＡとの間のメッセージの交換を図示したシーケンスダイヤグラムである。
【図１８】［００２８］  図１８は、ここで説明するある実施形態にしたがった、ワイヤレス通信の例示的な方法１８００のフローチャートである。
【００１２】
［００２９］
図面に図示したさまざまな特徴は、スケーリングして描かれないかもしれない。したがって、さまざまな特徴の大きさは、明確化のために任意に拡張されたり縮小されたりされているかもしれない。さらに、図面のうちのいくつかは、所定のシステム、方法、または、デバイスのコンポーネントのすべてを描いているわけではない。最後に、明細書および図の全体を通して、同様の参照番号は、同様の特徴を示すために使用されている。
【詳細な説明】
【００１３】
［００３０］
新規なシステム、装置、および方法のさまざまな態様を、付随する図面を参照して以後でより完全に説明する。しかしながら、教示の開示は、多くの異なる形態で具現化してもよく、本開示全体を通して提示する何らかの特定の構造または機能に限定されるものとして解釈すべきではない。むしろ、本開示が、徹底的および完全になり、本開示の範囲を当業者に完全に伝えるように、これらの態様を提供している。本発明の他の何らかの態様から独立して実現するかまたは本発明の他の何らかの態様と組み合わせて実現するかにかかわらず、本開示の範囲が、ここで開示する新規なシステム、装置、および方法の任意の態様をカバーするように意図していることを、ここでの教示に基づいて、当業者は認識すべきである。例えば、ここで述べる任意の数の態様を使用して、装置を実現してもよく、または、方法を実施してもよい。さらに、ここで述べる本発明のさまざまな態様に加えて、または、ここで述べる本発明のさまざまな態様以外の、他の構造、機能性、または、構造および機能性を使用して実施される、このような装置または方法を、本発明の範囲はカバーするように意図している。ここで開示する任意の態様は、請求項の１つ以上のエレメントによって具現化してもよいことを理解すべきである。
【００１４】
［００３１］
特定の態様をここで説明するが、これらの態様の多くのバリエーションおよび並べ替えが本開示の範囲内に入る。好ましい態様のいくつかの利益および利点に言及するが、本開示の範囲は、特定の利益、使用、または、目的に限定されるようには意図していない。むしろ、本開示の態様は、異なるワイヤレステクノロジー、システムコンフィギュレーション、ネットワーク、および送信プロトコルに広く適用可能であるように意図しており、それらのうちのいくつかを、図面中で、および、好ましい態様の以下の説明中で例として示している。詳細な説明および図面は、限定よりむしろ、本開示の例示に過ぎず、本開示の範囲は、添付した特許請求の範囲およびそれらの均等物によって規定される。
【００１５】
［００３２］
ワイヤレスネットワークテクノロジーは、さまざまなタイプのワイヤレスローカルエリアネットワーク（ＷＬＡＮ）を含んでいてもよい。広く使用されるネットワーキングプロトコルを用いて、近くのデバイスを互いに相互接続するためにＷＬＡＮを使用してもよい。ここで説明するさまざまな態様は、ＷｉＦｉ（登録商標）、または、より一般的には、ワイヤレスプロトコルのＩＥＥＥ８０２．１１ファミリの任意のメンバのような、任意の通信標準規格に適用してもよい。
【００１６】
［００３３］
いくつかのインプリメンテーションにおいて、ＷＬＡＮは、ワイヤレスネットワークにアクセスするコンポーネントであるさまざまなデバイスを含んでいる。例えば、２つのタイプのデバイス、アクセスポイント（「ＡＰ」）とクライアント（局、すなわち「ＳＴＡ」としても呼ばれる）とが存在するかもしれない。一般的に、ＡＰはＷＬＡＮに対するハブまたは基地局として機能し、ＳＴＡはＷＬＡＮのユーザとして機能する。例えば、ＳＴＡは、ラップトップコンピュータ、パーソナルデジタルアシスタント（ＰＤＡ）、移動体電話機等であってもよい。例において、ＳＴＡは、ＷｉＦｉ（例えば、ＩＥＥＥ８０２．１１プロトコル）準拠ワイヤレスリンクを介してＡＰに接続して、インターネットへの、または、他のワイドエリアネットワークへの一般的な接続性を取得する。いくつかのインプリメンテーションでは、ＳＴＡはまたＡＰとして使用してもよい。
【００１７】
［００３４］
ここで説明する技術は、直交多重化スキームに基づいている通信システムを含む、さまざまな広帯域ワイヤレス通信システムに対して使用してもよい。このような通信システムの例には、空間分割多元接続（ＳＤＭＡ）システム、時分割多元接続（ＴＤＭＡ）システム、直交周波数分割多元接続（ＯＦＤＭＡ）システム、単一搬送波周波数分割多元接続（ＳＣ−ＦＤＭＡ）システム等が含まれる。ＳＤＭＡシステムは、複数のユーザ端末に属するデータを同時に送信するために十分に異なる方向を利用してもよい。ＴＤＭＡシステムは、各タイムスロットが異なるユーザ端末に割り当てられている、異なるタイムスロットに送信信号を分割することによって、複数のユーザ端末が同一の周波数チャネルを共有することを可能にしてもよい。ＴＤＭＡシステムは、ＧＳＭ（登録商標）または技術的に知られている他の何らかの標準規格を実現してもよい。ＯＦＤＭＡシステムは、システム帯域幅全体を複数の直交副搬送波に区分する変調技術である直交周波数分割多重化（ＯＦＤＭ）を利用する。これらの副搬送波は、トーン、ビン等と呼ばれることもある。ＯＦＤＭにより、各副搬送波をデータにより独立して変調することができる。ＯＦＤＭシステムは、ＩＥＥＥ８０２．１１または技術的に知られている他の何らかの標準規格を実現することができる。ＳＣ−ＦＤＭＡシステムは、システム帯域幅に渡って分散されている副搬送波上で送信するインターリーブＦＤＭＡ（ＩＦＤＭＡ）を利用してもよく、隣接する副搬送波のブロック上で送信するローカライズＦＤＭＡ（ＬＦＤＭＡ）を利用してもよく、または、隣接する副搬送波の複数のブロック上で送信するエンハンスＦＤＭＡ（ＥＦＤＭＡ）を利用してもよい。一般的に、変調シンボルは、ＯＦＤＭにより周波数ドメインで送られ、ＳＣ−ＦＤＭＡにより時間ドメインで送られる。ＳＣ−ＦＤＭＡシステムは、３ＧＰＰ（登録商標）−ＬＴＥ（登録商標）（第３世代パートナーシッププロジェクトロングタームエボリューション）または他の標準規格を実現することができる。
【００１８】
［００３５］
ここでの教示は、さまざまなワイヤードまたはワイヤレスの装置（例えば、ノード）に組み込んでもよい（例えば、さまざまなワイヤードまたはワイヤレスの装置内で実現してもよく、または、さまざまなワイヤードまたはワイヤレスの装置によって実行してもよい）。いくつかの態様では、ここでの教示にしたがって実現されるワイヤレスノードは、アクセスポイントまたはアクセス端末を含んでいてもよい。
【００１９】
［００３６］
アクセスポイント（「ＡＰ」）は、ノードＢ、無線ネットワーク制御装置（「ＲＮＣ」）、ｅノードＢ、基地局制御装置（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または、他の何らかの用語を含んでいてもよく、これらのものとして実現してもよく、あるいは、これらのものとして知られていてもよい。
【００２０】
［００３７］
局（「ＳＴＡ」）は、アクセス端末（「ＡＴ」）、加入者局、加入者ユニット、移動局、遠隔局、遠隔端末、ユーザ端末、ユーザエージェント、ユーザデバイス、ユーザ機器、または、他の何らかの専門用語も含んでいてもよく、これらのものとして実現してもよく、あるいは、これらのものとして知られていてもよい。いくつかのインプリメンテーションにおいて、アクセス端末は、セルラ電話機、コードレス電話機、セッション開始プロトコル（「ＳＩＰ」）電話機、ワイヤレスローカルループ（「ＷＬＬ」）局、パーソナルデジタルアシスタント（「ＰＤＡ」）、ワイヤレス接続能力を有するハンドヘルドデバイス、または、ワイヤレスモデムに接続される他の何らかの適切な処理デバイスを含んでいてもよい。したがって、ここで教示する１つ以上の態様を、電話機（例えば、セルラ電話機またはスマートフォン）に、コンピュータ（例えば、ラップトップ）に、ポータブル通信デバイスに、ヘッドセットに、ポータブルコンピューティングデバイス（例えば、パーソナルデータアシスタント）に、エンターテインメントデバイス（例えば、音楽デバイスまたはビデオデバイス、あるいは衛星ラジオ）に、ゲームデバイスまたはシステムに、グローバルポジショニングシステムデバイスに、あるいは、ワイヤレス媒体を介して通信するように構成されている他の何らかの適切なデバイスに組み込んでもよい。
【００２１】
［００３８］
図１は、本開示の態様が用いられてもよい、例示的なワイヤレス通信システム１００のダイヤグラムである。ワイヤレス通信システム１００は、ワイヤレス標準規格、例えば、高効率性８０２．１１標準規格に準拠して、動作してもよい。ワイヤレス通信システム１００は、（一般的にＳＴＡ１０６Ａ〜１０６Ｄと呼ぶ）ＳＴＡ１０６と通信するＡＰ１０４を含んでいてもよい。
【００２２】
［００３９］
ワイヤレス通信システム１００中でのＡＰ１０４とＳＴＡ１０６との間の送信のために、さまざまなプロセスおよび方法を使用してもよい。例えば、ＯＦＤＭ／ＯＦＤＭＡ技術にしたがって、ＡＰ１０４とＳＴＡ１０６との間で、信号を送ってもよく、受信してもよい。このケースの場合、ワイヤレス通信システム１００は、ＯＦＤＭ／ＯＦＤＭＡシステムとして呼ばれるかもしれない。代替的に、コード分割多元接続（ＣＤＭＡ）技術にしたがって、ＡＰ１０４とＳＴＡ１０６との間で、信号を送ってもよく、受信してもよい。このケースの場合、ワイヤレス通信システム１００は、ＣＤＭＡシステムとして呼ばれるかもしれない。
【００２３】
［００４０］
ＡＰ１０４からＳＴＡ１０６のうちの１つ以上への送信を促進する通信リンクはダウンリンク（ＤＬ）１０８として呼ばれるかもしれず、ＳＴＡ１０６のうちの１つ以上からＡＰ１０４への送信を促進する通信リンクはアップリンク（ＵＬ）１１０として呼ばれるかもしれない。代替的に、ダウンリンク１０８は、フォワードリンクまたはフォワードチャネルとして呼ばれることがあり、アップリンク１１０は、リバースリンクまたはリバースチャネルとして呼ばれることがある。通信リンクは、単一入力単一出力（ＳＩＳＯ）、複数入力単一出力（ＭＩＳＯ）、単一入力複数出力（ＳＩＭＯ）、または、複数入力複数出力（ＭＩＭＯ）システムを介して確立されてもよい。
【００２４】
［００４１］
ＡＰ１０４は、基地局として機能してもよく、基本サービスエリア（ＢＳＡ）１０２中にワイヤレス通信カバレッジを提供してもよい。ＡＰ１０４に関係付けられ、通信のためにＡＰ１０４を使用するＳＴＡ１０６とともに、ＡＰ１０４は、基本サービスセット（ＢＳＳ）として呼ばれることがある。ワイヤレス通信システム１００は、中央ＡＰ１０４を有していなくてもよく、むしろＳＴＡ１０６間のピアツーピアネットワーク（例えば、ＴＤＬＳ、ＷｉＦｉダイレクト）として機能してもよいことに留意すべきである。したがって、ここで説明するＡＰ１０４の機能は、代替として、ＳＴＡ１０６のうちの１つ以上によって実行してもよい。
【００２５】
［００４２］
いくつかの態様において、ＳＴＡ１０６は、ＡＰ１０４に通信を送りおよび／またはＡＰ１０４から通信を受信するために、ＡＰ１０４と関係付くように要求されてもよい。ある態様において、関係付けのための情報は、ＡＰ１０４によるブロードキャスト中に含まれる。このようなブロードキャストを受信するために、ＳＴＡ１０６は、例えばカバレッジ領域に渡って、広いカバレッジサーチを実行してもよい。サーチはまた、例えば、灯台の方法で、カバレッジ領域をスイープすることにより、ＳＴＡ１０６によって実行されてもよい。関係付けのための情報を受信した後、ＳＴＡ１０６は、関係付けプローブまたは要求のような、基準信号をＡＰ１０４に送信してもよい。いくつかの態様において、ＡＰ１０４は、バックホールサービスを使用して、例えば、インターネットまたは公衆電話交換ネットワーク（ＰＳＴＮ）のような、大きなネットワークと通信してもよい。
【００２６】
［００４３］
いくつかの状況において、ＢＳＡは、他のＢＳＡの近くに位置付けられていてもよい。例えば、図２Ａは、複数のワイヤレス通信ネットワークが存在するワイヤレス通信システム２００のダイヤグラムである。図２Ａ中で図示するように、ＢＳＡ２０２Ａ、２０２Ｂ、および２０２Ｃは、互いの近くに物理的に位置付けられていてもよい。ＢＳＡ２０２Ａ〜２０２Ｃの近接にもかかわらず、ＡＰ２０４Ａ〜２０４Ｃおよび／またはＳＴＡ２０６Ａ〜２０６Ｈは、同じスペクトルを使用してそれぞれ通信するかもしれない。したがって、ＢＳＡ２０２Ｃ中のデバイス（例えば、ＡＰ２０４Ｃ）がデータを送信している場合、ＢＳＡ２０２Ｃの外部のデバイス（例えば、ＡＰ２０４Ａ〜２０４Ｂ、または、ＳＴＡ２０６Ａ〜２０６Ｆ）は、媒体上での通信を感知するかもしれない。
【００２７】
［００４４］
一般的に、標準の８０２．１１プロトコル（例えば、８０２．１１ａ、８０２．１１ｂ、８０２．１１ａｃ、８０２．１１ｇ、８０２．１１ｎ等）を使用するワイヤレスネットワークは、媒体アクセスのために搬送波感知多元接続（ＣＳＭＡ）メカニズム下で動作する。ＣＳＭＡにしたがうと、デバイスは、媒体を感知し、媒体がアイドルであると感知されるときにのみ送信する。したがって、ＡＰ２０４Ａ〜２０４Ｃおよび／またはＳＴＡ２０６Ａ〜２０６ＨがＣＳＭＡメカニズムにしたがって動作しており、ＢＳＡ２０２Ｃ中のデバイス（例えば、ＡＰ２０４Ｃ）がデータを送信している場合、ＢＳＡ２０２Ｃの外部のＡＰ２０４Ａ〜２０４Ｂおよび／またはＳＴＡ２０６Ａ〜２０６Ｆは、それらが異なるＢＳＡの一部であるにもかかわらず、媒体を通して送信しないかもしれない。
【００２８】
［００４５］
図２Ａは、そのような状況を例示する。図２Ａ中に図示するように、ＡＰ２０４Ｃは、媒体を通して送信している。送信は、ＡＰ２０４Ｃと同じＢＳＡ２０２Ｃ中にある、ＳＴＡ２０６Ｇによって、および、ＡＰ２０４Ｃ以外の異なるＢＳＡ中にある、ＳＴＡ２０６Ａによって、感知される。送信は、ＳＴＡ２０６Ｇに、および／または、ＢＳＡ２０２Ｃ中のＳＴＡのみに、アドレス指定されているが、ＳＴＡ２０６Ａは、それでもなお、ＡＰ２０４Ｃ（および他の何らかのデバイス）がもはや媒体上において送信しなくなるまで、（例えば、ＡＰ２０４Ａへの、または、ＡＰ２０４Ａからの）通信を、送信または受信できないかもしれない。示されてはいないが、（例えば、ＡＰ２０４Ｃによる送信が、他のＳＴＡが媒体上における送信を感知することができるようなより強い場合）同じことが、ＢＳＡ２０２Ｂ中のＳＴＡ２０６Ｄ〜２０６Ｆおよび／またはＢＳＡ２０２Ａ中のＳＴＡ２０６Ｂ〜２０６Ｃにも同様に適用されてもよい。
【００２９】
［００４６］
ＢＳＡの内部または外部に位置付けられている、いくつかのＡＰまたはＳＴＡが、ＢＳＡ中のＡＰまたはＳＴＡによって行われる送信と干渉することなくデータを送信することが可能であるかもしれないことから、ＣＳＭＡメカニズムの使用は、非効率性をもたらすかもしれない。アクティブなワイヤレスデバイスの数が増大し続けるにつれて、非効率性は、ネットワーク待ち時間およびスループットに大幅に影響し始めるかもしれない。例えば、大幅なネットワーク待ち時間の問題は、アパートメントビルディング内において現れるかもしれないが、その内部において各アパートメントユニットは、アクセスポイントおよび関係付けられている局を含んでいるかもしれない。実際に、居住者がワイヤレスルータ、ワイヤレス媒体センター能力を有するビデオゲームコンソール、ワイヤレス媒体センター能力を有するテレビ、パーソナルホットスポットのように機能することができるセル電話機、および／または、これらに類するものを所有しているかもしれないことから、各アパートメントユニットは、複数のアクセスポイントを含んでいるかもしれない。ＣＳＭＡメカニズムの非効率性を補正することは、待ち時間およびスループットの問題と全体的なユーザの不満とを避けるために不可欠であるかもしれない。
【００３０】
［００４７］
このような待ち時間およびスループットの問題は、実のところ居住エリアに制限されないかもしれない。例えば、複数のアクセスポイントが、空港、地下鉄の駅、および／または、他の人口密度の高い公共スペース内に位置付けられているかもしれない。現在、ＷｉＦｉアクセスは、これらの公共スペース中に提供されているかもしれないが、有料である。ＣＳＭＡメカニズムによって生成された非効率性が補正されない場合、ワイヤレスネットワークのオペレータは、料金およびより低いサービス品質が何らかの利点よりまさり始めるにつれて顧客を失うかもしれない。
【００３１】
［００４８］
したがって、ここで説明する高効率８０２．１１プロトコルは、これらの非効率性を最小化し、ネットワークスループットを増加させる、修正されたメカニズム下でデバイスが動作できるようにする。このようなメカニズムは、図４〜１７に関して以下で説明する。高効率８０２．１１プロトコルの追加の態様は、図４〜１７に関して以下で説明する。
【００３２】
［００４９］
図３は、ワイヤレス通信システム１００内で用いることができるワイヤレスデバイス３０２中で利用できる、さまざまなコンポーネントを図示したブロックダイヤグラムである。ワイヤレスデバイス３０２は、ここで説明するさまざまな方法を実現するように構成されているデバイスの例である。ワイヤレスデバイス３０２は、ＡＰ１０４またはＳＴＡ１０６を実現してもよい。
【００３３】
［００５０］
ワイヤレスデバイス３０２は、ワイヤレスデバイス３０２の動作を制御するプロセッサ３０４を備えていてもよい。プロセッサ３０４は、中央処理ユニット（ＣＰＵ）と呼ばれることもある。メモリ３０６は、リードオンリーメモリ（ＲＯＭ）とランダムアクセスメモリ（ＲＡＭ）の両方を含んでおり、命令およびデータをプロセッサ３０４に提供する。メモリ３０６の一部分は、不揮発性ランダムアクセスメモリ（ＮＶＲＡＭ）も含んでいてもよい。プロセッサ３０４は、メモリ３０６内に記憶されているプログラム命令に基づいて、論理動作および演算動作を実行してもよい。メモリ３０６中の命令は、ここで説明する方法を実現するように実行可能であってもよい。
【００３４】
［００５１］
プロセッサ３０４は、１つ以上のプロセッサにより実現される処理システムのコンポーネントを含んでいてもよく、または、１つ以上のプロセッサにより実現される処理システムのコンポーネントであってもよい。１つ以上のプロセッサは、汎用マイクロプロセッサ、マイクロ制御装置、デジタル信号プロセッサ（ＤＳＰ）、フィールドプログラム可能ゲートアレイ（ＦＰＧＡ）、プログラム可能論理デバイス（ＰＬＤ）、制御装置、状態機械、ゲート論理、ディスクリートハードウェアコンポーネント、専用ハードウェア有限状態機械、あるいは、情報の計算または他の操作を実行できる他の何らかの適切なエンティティ、の任意の組み合わせにより実現してもよい。
【００３５】
［００５２］
処理システムは、ソフトウェアを記憶するための機械読取可能媒体も含んでいてもよい。ソフトウェアは、ソフトウェア、ファームウェア、ミドルウェア、マイクロコード、ハードウェア記述言語、または、その他のものとして呼ばれるか否かにかかわらず、何らかのタイプの命令を意味するように広く解釈されるべきである。命令は、（例えば、ソースコードフォーマット、バイナリコードフォーマット、実行可能コードフォーマット、または、他の何らかの適切なコードのフォーマットの）コードを含んでいてもよい。命令は、１つ以上のプロセッサによって実行されるとき、処理システムに、ここで説明するさまざまな機能を実行させる。
【００３６】
［００５３］
ワイヤレスデバイス３０２は、ハウジング３０８も備えており、ハウジング３０８は、ワイヤレスデバイス３０２と遠隔ロケーションとの間のデータの送信および受信を可能にする送信機３１０および受信機３１２を備えている。送信機３１０と受信機３１２は、トランシーバ３１４に組み合わされていてもよい。単一または複数のトランシーバアンテナ３１６が、ハウジング３０８に取り付けられ、電気的にトランシーバ３１４に結合されている。ワイヤレスデバイス３０２はまた、（示されていない）複数の送信機と、複数の受信機と、複数のトランシーバとを含んでいてもよい。
【００３７】
［００５４］
ワイヤレスデバイス３０２は、信号検出器３１８も備えており、信号検出器３１８は、トランシーバ３１４によって受信される信号のレベルを検出して定量化しようとするために使用することができる。信号検出器３１８は、総エネルギー、シンボル当たりの副搬送波毎のエネルギー、電力スペクトル密度、および、他の信号として、このような信号を検出してもよい。ワイヤレスデバイス３０２は、信号を処理する際に使用するためのデジタル信号プロセッサ（ＤＳＰ）３２０も備えていてもよい。
【００３８】
［００５５］
ワイヤレスデバイス３０２のさまざまなコンポーネントは、バスシステム３２２により、互いに結合されていてもよく、バスシステム３２２は、データバスに加えて、電力バス、制御信号バス、ステータス信号バスを含んでいてもよい。
【００３９】
［００５６］
図３中に多数の別々のコンポーネントを図示しているが、コンポーネントのうちの１つ以上を、組み合わせても、または、共通して実現してもよいことを、当業者は認識するだろう。例えば、プロセッサ３０４は、プロセッサ３０４に関して上記で説明した機能性を実現するためだけでなく、信号検出器３１８および／またはＤＳＰ３２０に関して上記で説明した機能性を実現するためにも使用してもよい。さらに、図３中に図示しているコンポーネントのそれぞれを、複数の別々のエレメントを使用して実現してもよい。
【００４０】
［００５７］
ワイヤレスデバイス３０２は、ＡＰ１０４、ＳＴＡ１０６、ＡＰ２０４および／またはＳＴＡ２０６を含んでいてもよく、通信を送信および／または受信するために使用してもよい。すなわち、ＡＰ１０４、ＳＴＡ１０６、ＡＰ２０４、または、ＳＴＡ２０６のいずれかは、送信機デバイスまたは受信機デバイスとして機能してもよい。ある態様は、送信機または受信機の存在を検出するために、メモリ３０６およびプロセッサ３０４上で実行するソフトウェアによって信号検出器３１８が使用されることを企図している。
【００４１】
［００５８］
いくつかの態様では、図１中に図示されているワイヤレスシステム１００は、ＩＥＥＥ８０２．１１ａｃワイヤレス通信標準規格にしたがって動作する。８０２．１１ａｃは、複数ユーザＭＩＭＯ（ＭＵ−ＭＩＭＯ）システム中で通信リンクを確立するためのプロトコルを提供する。このシステムでは、ＡＰは、１次通信リンクを介して、パケットを１つ以上のＳＴＡに送ってもよい。１次リンクを通して送られるパケットは、通常のＣＳＭＡメカニズムまたはＭＩＭＯ技術を介して送られてもよい。いくつかの実施形態では、パケットの別のセットは、１次リンクを通した送信と並行して、２次または「再使用」リンクを通して他のＡＰおよびＳＴＡによって送られ、媒体のスループットおよび再使用を増加させてもよい。１次リンク中のフレームシーケンスおよび空間処理は、２次または再使用リンクによって影響されず、２次または再使用リンクは、１次リンクへの干渉および１次リンクからの干渉を空間的にゼロにすること自律的に実行する。しかしながら、１次リンクは、情報をブロードキャストして、例えば、トレーニングまたはスケジューリングの情報を送ることにより、再使用リンクの空間的ゼロ化を支援してもよい。
【００４２】
［００５９］
上記で議論したように、ＢＳＡの内部または外部に位置付けられているいくつかのＡＰまたはＳＴＡが、ＢＳＡ中のＡＰまたはＳＴＡによって行われる送信と干渉することなくデータを送信することが可能であるかもしれないことから、ＣＳＭＡメカニズムの使用は非効率性を生成させるかもしれない。このようなケースでは、ＢＳＡ中のＡＰまたはＳＴＡによる送信と干渉しないであろうこれらの送信は、ネットワークのスループットを増加させるかもしれない。ここで説明する実施形態は、１次リンクと、ビーム形成された通信を利用する１つ以上の２次または再使用リンクとの両方における同時送信を促進することに関連する。再使用リンク送信が１次リンク通信との干渉をもたらさないように、再使用リンク上のビーム形成された送信を、プレコーディングして発生させてもよい。
【００４３】
［００６０］
図４は、ＡＰ０とＳＴＡ０との間での、および、ＡＰ１とＳＴＡ１との間でのメッセージの交換を図示しているシーケンスダイヤグラムである。この実施形態では、ＡＰ０およびＳＴＡ０は１次リンクを通して通信し、ＡＰ１およびＳＴＡ１は再使用リンクを通して通信する。いくつかの態様では、ＡＰ０は、第１のメッセージ、送信要求（ＲＴＳ）メッセージ４０２をＳＴＡ０に送る。ＡＰ１は、ＲＴＳメッセージ４０２を受信し、ＡＰ０が第２のメッセージ、データ４０６をＳＴＡ０に送るであろう時間を決定してもよい。ＳＴＡ１はまた、ＲＴＳメッセージ４０２を受信し、ＲＴＳメッセージ４０２中のトレーニングシンボルに基づいて、ＡＰ０に対する空間チャネルのチャネル状態情報（ＣＳＩ）を決定してもよい。このチャネル情報により、ＡＰ１からデータ４０８を受信している間に、ＡＰ０がデータ４０６をＳＴＡ０に送るとき、ＳＴＡ１は、ＡＰ０からの空間的干渉を低減またはキャンセルできる。第３のメッセージ、送信可（ＣＴＳ）メッセージ４０４をＡＰ０に返送することにより、ＳＴＡ０は、ＲＴＳメッセージ４０２に応答する。ＡＰ１はまた、ＣＴＳメッセージ４０４を受信し、ＣＴＳメッセージ４０４中のトレーニングシンボルに基づいて、ＳＴＡ０に対する空間チャネルのチャネル状態情報（ＣＳＩ）を決定してもよい。このチャネル情報により、ＡＰ１がデータ４０８をＳＴＡ１に送るとき、ＳＴＡ０への干渉を空間的にゼロにすることを実行するように、ＡＰ１は送信をプリコーディングしてもよい。図４は、ＲＴＳおよびＣＴＳメッセージ４０２および４０４を描いているが、ＡＰ０とＳＴＡ０との間の任意のメッセージまたはパケットの交換を使用して、再使用リンクを通した並行使用を可能にしてもよい。
【００４４】
［００６１］
図５は、複数のワイヤレスデバイスが存在するワイヤレス通信システム５００中の例示的な送信を図示したダイヤグラムである。この実施形態では、ＡＰ０とＳＴＡ０は１次リンク５０１を通して通信し、ＡＰ１とＳＴＡ１は再使用リンク５１０を通して通信する。ＡＰ０とＳＴＡ０は、それぞれ１本のアンテナ５０２と５０４をそれぞれ有している。ＡＰ１は２本のアンテナ５０６と５０７を有しており、ＳＴＡ１は２本のアンテナ５０８と５０９を有している。ＡＰ０が、そのアンテナ５０２を介して、１次リンク５０１を通してＳＴＡ０に送信するとき、送信は、ＳＴＡ１において干渉５１２をもたらすかもしれない。しかしながら、図４を参照して説明したように、ＳＴＡ１はＲＴＳメッセージ４０２からＡＰ０のＣＳＩを決定していることから、ＳＴＡ１は、そのアンテナ５０８と５０９を使用して、ＡＰ０送信からの干渉５１２を低減またはキャンセルし、再使用リンク５１０を通してＡＰ１からの送信を受信してもよい。いくつかの実施形態では、ＳＴＡ１は、ビーム形成マトリックス（例えば、図６のマトリックス６２１）とＣＳＩとを使用して、ＡＰ１送信のその受信をプリコーディングしてもよく、したがって、ＡＰ０送信によってもたらされる干渉は、ない、または、わずかである。同様に、ＡＰ１が再使用リンク５１０を通してＳＴＡ１に送信するとき、ＡＰ１は、ＳＴＡ０において干渉５１４をもたらすかもしれない。ＡＰ１は、ＣＴＳメッセージ４０４からのＣＳＩと、そのアンテナ５０６と５０７を使用して、ＳＴＡ０に対する干渉５１４を低減またはキャンセルし、再使用リンク５１０を通してＳＴＡ１にメッセージを送信してもよい。いくつかの実施形態では、ＡＰ１は、ビーム形成マトリックス（例えば、図６のマトリックス６０６）とＣＳＩとを使用して、ＳＴＡ１へのその送信をプリコーディングしてもよく、したがって、ＳＴＡ０においてもたらされる干渉は、ない、または、わずかである。再使用リンク５１０通信の受信機側（例えば、ＳＴＡ１）においてもたらされる干渉５１４が、わずかである、または、ないことは有益である。なぜなら、これは、意図した信号の受信を促進するからである。再使用リンク５１０通信の送信機側（例えば、ＡＰ１）からもたらされる干渉５１２が、わずかである、または、ないことも有益である。なぜなら、これは、ＡＰ０からの意図した信号のＳＴＡ０の受信と干渉するＡＰ１の送信を直接回避するからである。
【００４５】
［００６２］
図６は、一般的なＭＩＭＯシステム６００を図示したダイヤグラムである。ＭＩＭＯシステム６００は、送信機６０５と受信機６２０を備えている。送信機６０５において、Ｎｓ個の入力（ストリーム）６０１は、（Ｎｓ×Ｎｔ）個の送信機（ＴＸ）ビーム形成（ＢＦ）マトリックス６０６を介してＮｔ本のアンテナ６１０上で多重化される。受信機６２０において、Ｎｒ本のアンテナ６１５は、Ｎｓ個の出力６２５と多重化される。Ｎｓ個の出力６２５は、（Ｎｒ×Ｎｓ）個の受信機（ＲＸ）ＢＦマトリックス６２１を通過した後に取得される。Ｎｓ個の入力６０１およびＮｓ個の出力６２５は、それぞれ「仮想ＴＸアンテナ」または「仮想ＲＸアンテナ」として呼ばれるかもしれない。
【００４６】
［００６３］
図７は、複数のワイヤレスデバイスが存在するワイヤレス通信システム７００中の例示的な送信を図示したダイヤグラムである。この実施形態において、ＡＰ０とＳＴＡ０とは、１次リンク５０１を通して通信し、ＡＰ１とＳＴＡ１とは、再使用リンク５１０を通して通信する。１次リンク５０１において、ＡＰ０は、Ａ本のアンテナ７０２を備えており、Ｋ個の空間ストリーム７０３をＳＴＡ０に送り、ＳＴＡ０は、Ｂ本のアンテナ７０４を備えている。再使用リンク５１０において、Ｃ本のアンテナ７０６を有しているＡＰ１は、Ｚ個の空間ストリーム７０７をＳＴＡ１に送り、ＳＴＡ１はＤ本のアンテナ７０８を備えている。いくつかの実施形態では、Ｋ個の空間ストリーム７０３のＡＰ０送信は、ＳＴＡ１のＤ本のアンテナ７０８において干渉７１２をもたらすかもしれない。同様に、Ｚ個の空間ストリーム７０７のＡＰ１送信は、ＳＴＡ０におけるＢ本のアンテナ７０４において、干渉７１４をもたらすかもしれない。干渉７１２と７１４とを回避するために、ＡＰ１とＳＴＡ１は、Ｋ個の空間ストリーム７０３とＺ個の空間ストリーム７０７の送信の間、干渉７１２と７１４とを空間的にキャンセルするために利用可能である十分なＣ本のアンテナ７０６とＤ本のアンテナ７０８とを必要とするかもしれない。干渉７１２と７１４なしで送信することができる、最大に許容されるＺ個の空間ストリーム７０７は、以下の式により表すことができる：Ｚの最大＝最小｛（Ｄ−Ｋ），（Ｃ−Ｋ）｝，ここで、Ｄ≧Ｋ，Ｃ≧Ｋである。Ｃ本のアンテナ７０６とＤ本のアンテナ７０８の数は、Ｋ個の空間ストリーム７０３の数より大きくなければならない。なぜなら、ＡＰ１とＳＴＡ１は、１次リンク５０１へのおよび１次リンクからの干渉（例えば、干渉７１２および７１４）を減少またはキャンセルするために、Ｋ個の自由度を必要とするからである。したがって、Ｋ個の空間ストリーム７０３の数を上回る再使用リンク５１０中のアンテナが多くなるほど、再使用可能ストリーム（Ｚ個の空間ストリーム７０７）は多くなる。
【００４７】
［００６４］
図８は、ＡＰ０とＳＴＡ０との間での、および、ＡＰ１とＳＴＡ１との間でのメッセージの交換を図示しているシーケンスダイヤグラムである。いくつかの実施形態において、ＡＰ０とＳＴＡ０とは１次リンク５０１を通して通信し、ＡＰ１とＳＴＡ１とは再使用リンク５１０を通して通信する。この実施形態において、ＡＰ０は、ヌルデータパケットアナウンスメントフレーム（ＮＤＰＡ）８０１を送り、その後、ヌルデータパケット（ＮＤＰ）８０２を送る。いくつかの実施形態において、ＮＤＰＡ８０１とＮＤＰ８０２は、単一の第１のメッセージを含んでいてもよい。いくつかの実施形態において、ＮＤＰ８０２は、第１のメッセージを含んでいてもよく、ＮＤＰＡ８０１は、ＡＰ０によって送られる先行のメッセージを含んでいてもよい。ＳＴＡ０は、受信機ビーム形成マトリックス（例えば、図６のＲＸ  ＢＦマトリックス６２１）を計算して、ＡＰ０から第２のメッセージの将来の送信（例えば、以下で議論するＰＰＤＵ８１０）を受信してもよい。ＳＴＡ０は、その後、ＮＤＰＡ８０１とＮＤＰ８０２とに応答して、第３のメッセージ、ＣＳＩフィードバック（ＦＢ）８０３をＡＰ０に送ってもよい。ＡＰ０は、その後、ＳＴＡ０へのより後の送信（例えば、以下で議論するＰＰＤＵ８１０）のために、ＣＳＩ  ＦＢ８０３を使用してもよい。いくつかの実施形態において、ＡＰ１も、ＳＴＡ０からＣＳＩ  ＦＢ８０３を受信し、ＣＳＩを使用して、ＡＰ０からＳＴＡ０への送信（例えば、ＰＰＤＵ８１０）の間に、メッセージをＳＴＡ１（例えば、以下で議論するＰＰＤＵ８１４）に同時に送信するための送信機ビーム形成マトリックス（例えば、図６のＴＸ  ＢＦマトリックス６０６）を計算してもよい。ＮＤＰＡ８０１、ＮＤＰ８０２、およびＣＳＩ  ＦＢ８０３交換は、１次リンクサウンディング８０５として呼ばれることがある。ＡＰ０およびＳＴＡ０それぞれが１本のアンテナを有する実施形態において、１次リンクサウンディング８０５は必要ないかもしれない。
【００４８】
［００６５］
いくつかの実施形態において、ＡＰ１の再使用決定を支援するために、ＡＰ０は、ＮＤＰＡ８０１中で、その空間ストリーム数（例えば、Ｋ個の空間ストリーム７０３）を示すことができる。ＮＤＰＡ８０１をデコードした後、以前の式に基づいて、ＡＰ１は、再使用可能ストリームの最大数（Ｚ個の空間ストリーム７０７）を計算してもよく、Ｚが正の場合、媒体を再使用することを決定してもよい。Ｚを最大化するために、ＡＰ１は、最も多い数のアンテナ（例えば、Ｄ本のアンテナ７０８）を有するＳＴＡ１を選択することができる。
【００４９】
［００６６］
図９は、ＡＰ０とＳＴＡ０との間での、および、ＡＰ１とＳＴＡ１との間でのメッセージの交換を図示しているシーケンスダイヤグラムを描いている。図９中で図示されている交換は、図８に関して上記で説明した交換を継続している。上記で議論したように、媒体を再使用するために、ＳＴＡ０のＫ本の仮想アンテナとＡＰ０のＫ本の仮想アンテナ（例えば、ＲＸ仮想アンテナ６２５とＴＸ仮想アンテナ６０１）へのＭＩＭＯチャネルをそれぞれ決定することがＡＰ１とＳＴＡ１にとって望ましいかもしれない。再使用リンク５１０におけるチャネル推定をさらに支援するために、ＡＰ０は、第４のメッセージであるサウンディング物理レイヤデータユニット（ＰＰＤＵ）、Ｓ１メッセージ８０６のロングトレーニングフィールド（ＬＴＦ）中で、そのＫ本の仮想アンテナからトレーニングシンボルを送ってもよい。トレーニングシンボルに基づいて、ＳＴＡ１はその後、ＡＰ０のＫ本の仮想アンテナへのＭＩＭＯチャネルを決定してもよい。その後、ＳＴＡ１は、ＡＰ０からの干渉（例えば、干渉７１２）を空間的にゼロにするためのＲＸ  ＢＦマトリックス（例えば、ＲＸ  ＢＦマトリックス６２１）を計算してもよい。いくつかの実施形態では、ＳＴＡ１は、ビーム形成されたメッセージの受信を通して、ＡＰ０からの干渉をゼロにし、したがって、ＳＴＡ１における、ＡＰ０から受信した干渉は、あるしきい値より下に低減される。類似して、第４のメッセージ、Ｓ１メッセージ８０６に応答して、第５のメッセージであるサウンディングＰＰＤＵ、例えば、Ｓ２メッセージ８０８のＬＴＦ中で、そのＫ本の仮想アンテナからトレーニングシンボルを送ることによって、ＳＴＡ０は、再使用リンク５１０を支援できる。トレーニングシンボルに基づいて、ＡＰ１はその後、ＳＴＡ０のＫ本の仮想アンテナへのＭＩＭＯチャネルを決定してもよい。その後ＡＰ１は、ＳＴＡ０に対する干渉（例えば、干渉７１４）を空間的にゼロにするためのＴＸ  ＢＦマトリックス（例えば、ＴＸ  ＢＦマトリックス６０６）を計算してもよい。いくつかの実施形態では、ＡＰ１は、ビーム形成されたメッセージの送信を通してＳＴＡ０に対する干渉をゼロにし、したがって、ＳＴＡ０において受信するＡＰ１からの干渉は、あるしきい値より下に低減される。Ｓ１メッセージ８０６とＳ２メッセージ８０８との交換は、再使用リンクサウンディング８０９として呼ばれることがある。
【００５０】
［００６７］
図１０は、ＡＰ０とＳＴＡ０との間での、および、ＡＰ１とＳＴＡ１との間でのメッセージの交換を図示しているシーケンスダイヤグラムを描いている。図１０中で図示している交換は、図１０に関して上記で説明した交換を継続する。Ｓ１メッセージ８０６とＳ２メッセージ８０８とを交換した後、ＡＰ０は、Ｋ個の空間ストリーム７０３を有するＰＰＤＵ８１０を、ＭＩＭＯ送信（例えば、送信ビーム形成または通常のＣＳＭＡプロトコル）を介してＳＴＡ０に送る。ＰＰＤＵ８１０は、プリアンブル部分８１１とデータ部分８１２とを備えている。ＡＰ０のＰＰＤＵ８１０のプリアンブル部分８１１を受信した後、ＡＰ１は、ＳＴＡ０に対する干渉をゼロにする、そのＴＸ  ＢＦマトリックス６０６を介して、Ｚ個の空間ストリーム７０７を有する再使用ＰＰＤＵ８１４をＳＴＡ１に送る。いくつかの実施形態では、ＡＰ１は、プリアンブル部分８１１の終端に、または、ＣＳＭＡバックオフの後に、直ちにＰＰＤＵ８１４をスケジューリングする。いくつかの態様では、ＰＰＤＵ８１４は、媒体を同期させるために、ＰＰＤＵ８１０と同時に終了してもよい。上記で議論したように、ＳＴＡ１は、ＰＰＤＵ８１４を受信できる。なぜなら、Ｓ１メッセージ８０６を受信した後、ＳＴＡ１は、ＡＰ０のＰＰＤＵ８１０送信からの干渉をゼロにするためのＲＸ  ＢＦマトリックスを計算して、再使用リンクを通してＡＰ１からＰＰＤＵ８１４を受信するからである。
【００５１】
［００６８］
いくつかの実施形態では、不完全な空間的ゼロ化および未知の数の再使用ＴＸにより、１次リンクと再使用リンクのそれぞれに対する、再使用後のサポートされているレートを推定することは難しいかもしれない。サポートされているレートのより良い推定を取得するために、ＡＰ０は、再使用リンク（例えば、ＡＰ１）中のＴＸによりスケジューリングして、ＰＰＤＵ８１０とＰＰＤＵ８１４の送信の前に両サウンディングフレームを送信してもよい。ＳＴＡは、サウンディング送信に基づいて、送信のレートを推定してもよく、推定されたレートをその関係付けられているＡＰに報知してもよい。いくつかの態様では、ＡＰ０は、再使用リンク中の複数のＴＸおよび／またはＲＸをスケジューリングして、サウンディング送信を送ってもよい。図１１は、送信のサポートされているレートをより良く推定するためのサウンディング送信を含む、ＡＰ０とＳＴＡ０との間での、および、ＡＰ１とＳＴＡ１との間でのメッセージの交換を図示しているシーケンスダイヤグラムである。図１１中で図示されている交換は、図１０中で図示されている交換と類似しており、図１０中で図示されている交換に適合している。簡潔さのために、両方に共通のエレメントは、共通の参照表示を共有し、交換間の差のみをここで説明している。
【００５２】
［００６９］
図１１において、Ｓ２メッセージ８０８を受信した後、ＡＰ０により、再使用ＴＸとしてＡＰ１を選択することに基づいて、ＡＰ１は、そのＺ本の仮想アンテナからサウンディングＰＰＤＵ、例えば、Ｓ３メッセージ１１５１のＬＴＦ中で、トレーニングシンボルを送る。Ｓ３メッセージ１１５１は、再使用リンク５１０中で、意図したＲＸ（例えば、ＳＴＡ１）も示してもよい。Ｓ１メッセージ８０６とＳ３メッセージ１１５１に基づいて、ＳＴＡ０とＳＴＡ１は、ストリーム毎の信号対干渉プラス雑音比（ＳＩＮＲ）および対応するレートを推定できる。ＳＴＡ０とＳＴＡ１はその後、第６のメッセージ、Ｒ１メッセージ１１５２、第７のメッセージ、Ｒ２メッセージ１１５３それぞれを介して、この推定をＡＰ０とＡＰ１に戻す。いくつかの実施形態では、ＳＴＡ０はまた、再使用あり、および、再使用なしの両方のケースに対して、推定されたレートもフィードバックすることができる。再使用ありで推定されたレートが、再使用なしのものよりもより低い場合、ＡＰ０は、プリアンブル部分８１１において「再使用なし」を示し、再使用なしのレートでＰＰＤＵ８１２を送信してもよく、ＡＰ１は、このケースでは、再使用リンクを通して送信すべきではない。
【００５３】
［００７０］
上記で説明したように、いくつかの態様において、ＡＰ０は、ＮＤＰＡ８０１またはＳ１メッセージ８０６中で、再使用ＴＸ／ＲＸの少なくとも１つの選択したペア、例えば、ＡＰ１／ＳＴＡ１を示して、レート予測のために、トレーニングシンボルおよび／またはフィードバックを送ってもよい。代替的に、いくつかの態様において、ＡＰ０は、少なくとも１つの選択した再使用ＴＸ、例えばＡＰ１のみを示してもよい。この態様では、ＡＰ１は、Ｓ３メッセージ１１５１中で、再使用ＲＸ、例えば、ＳＴＡ１を示すべきである。再使用ＡＰ１／ＳＴＡ１の候補ペアを選択するとき、再使用ＡＰ１／ＳＴＡ１は、いくつかの基本的な基準に合格しなければならないかもしれない。例えば、ＡＰ１は、ＳＴＡ０に対する干渉をゼロにするために、Ｋ個の空間ストリームの数よりも多い数のアンテナを有するべきである。加えて、ＳＴＡ１は、ＡＰ０からの干渉をゼロにするために、Ｋ個の空間ストリームの数よりも多い数のアンテナを有するべきである。さらに、ＡＰ１は、ＳＴＡ１に送るためにバッファリングされたデータを有するべきである。ＡＰ１／ＳＴＡ１ペアがこれらの基準を満足する場合、ＡＰ０は、再使用通信リンクを再使用するために、および、レート推定のために追加のサウンディングを送るために、これらを選択してもよい。上記の基準を満足する複数の候補ペアがあるとき、ＡＰ０は、さらなる基準に基づいて、ペアを選択してもよい。例えば、ＡＰ０は、最も多くバッファリングされたデータを有するペアを選択してもよい。別のオプションは、最も多い数の再使用可能ストリームをおよび／または空間ゼロ化能力を有するペア、例えば、上記の図７に関して議論した式、最小｛（Ｄ−Ｋ），（Ｃ−Ｋ）｝に対する最大値を有するペアをＡＰ０が選択することだろう。いくつかの実施形態では、ＡＰ０は、１つ以上の再使用リンクに対して、複数のＴＸおよび複数のＲＸを選択してもよい。
【００５４】
［００７１］
いくつかの実施形態では、ＡＰ０は、多数の方法で、上記の基準を満足する候補再使用ＴＸ／ＲＸペアを識別してもよい。１つのオプションでは、すべてのＴＸが、パケットにおいて、アンテナの数と、ＴＸおよびＲＸの識別と、バッファリングされたデータの量とを示してもよい。このオプションでは、ＡＰ０が送信することを望む前の、ある時間期間で、無線（ＯＴＡ）パケットを監視することによって、ＡＰ０は候補ペアを決定してもよい。別のオプションでは、媒体を再使用することを意図している隣接するＴＸは、上記の情報を有する明示的再使用要求をＡＰ０に送ることができ、したがって、ＡＰ０は、受信した要求に基づいて、候補ペアを決定できる。
【００５５】
［００７２］
いくつかの実施形態では、再使用ＲＸ（例えば、ＳＴＡ１）は、１次リンク５１０からの干渉を空間的にゼロにできない。ＳＴＡ１は、干渉をゼロにするための十分なアンテナを有していないことから、ＳＴＡ１は、干渉をゼロにできないかもしれない。図１２は、複数のワイヤレスデバイスが存在するワイヤレス通信システム１２００中の例示的な送信を図示したダイヤグラムである。この実施形態では、ＡＰ０とＳＴＡ０とは１次リンク５０１を通して通信し、ＡＰ１とＳＴＡ１とは、再使用リンク５１０を通して通信する。ＡＰ０とＳＴＡ０それぞれは１本のアンテナ１２０２、１２０４をそれぞれ有している。ＡＰ１は、２本のアンテナ１２０６と１２０７を有しており、ＳＴＡ１は１本のアンテナ１２０８を有している。ＡＰ０がそのアンテナ１２０２を介して、１次リンク５０１を通して、ＳＴＡ０に送信するとき、送信は、ＳＴＡ１において干渉１２１２をもたらすかもしれない。しかしながら、ＳＴＡ１は、干渉１２１２をゼロにするための１本より多くのアンテナを有していないかもしれない。１次リンク５０１からの干渉１２１２を緩和するために、ＡＰ１は、ＡＰ０からの大きなパス損失を有するＳＴＡ１（例えば、ＡＰ０から遠く離れたＳＴＡ１）を選択してもよい。ＡＰ１が再使用リンク５１０を通してＳＴＡ１に送信するとき、ＡＰ１は、ＳＴＡ０における干渉１２１４をもたらすかもしれない。ＡＰ１は、ＣＴＳメッセージ４０４からのＣＳＩとそのアンテナ１２０６、１２０７とを使用して、ＳＴＡ０に対する干渉１２１４を空間的にゼロにするＴＸビーム形成パターンを形成する一方で、再使用リンク５１０を通してのＳＴＡ１へのメッセージをビーム形成する。
【００５６】
［００７３］
図１３は、複数のワイヤレスデバイスが存在するワイヤレス通信システム１３００中の例示的な送信を図示したダイヤグラムである。図１３では、ＡＰ０とＳＴＡ０とは１次リンク５０１を通して通信する一方で、ＡＰ１とＳＴＡ１〜ＳＴＡＺとは、再使用リンク５１０を通して通信する。１次リンク５１０では、ＡＰ０は、Ａ本のアンテナ１３０２を備えており、Ｋ個の空間ストリーム１３０３をＳＴＡ０に送り、ＳＴＡ０は、Ｂ本のアンテナ１３０４を備えている。再使用リンク５１０では、ＡＰ１は、Ｃ本のアンテナ１３０６を備えており、ＳＴＡ毎に単一のアンテナにより、Ｚ個の空間ストリーム１３０７をＺ個のＳＴＡに送り、Ｚ個のＳＴＡのそれぞれは、ＡＰ０からの干渉を空間的にゼロにできない。ＡＰ１はしたがって、ＡＰ０からの大きなパス損失を有するＺ個のＳＴＡを選択し、Ｚ個の局における干渉１３１２を緩和する。再使用リンク５１０を通したＡＰ１送信は、ＳＴＡ０における干渉をもたらすかもしれない。ＡＰ１は、ＣＴＳメッセージ４０４からのＣＳＩとそのＣ本のアンテナ１３０６とを使用して、ＳＴＡ０に対する干渉１３１４を低減またはキャンセルしてもよく、再使用リンク５１０を通してのＺ個のＳＴＡへのＺ個の空間ストリーム１３０７をビーム形成してもよい。ＳＴＡ０における干渉をもたらすことなく許容されるＺ個の空間ストリームの最大数は、以下の式により表すことができる。Ｚの最大値＝Ｃ−Ｋ、ここで、Ｃ≧Ｋである。したがって、ＡＰ１は、Ｋ個の空間的自由度を使用して、ＳＴＡ０に対する干渉をゼロにする。
【００５７】
［００７４］
図１４は、ＡＰ０とＳＴＡ０との間での、および、ＡＰ１とＳＴＡ１〜ＳＴＡＺとの間でのメッセージの交換を図示したシーケンスダイヤグラムである。この実施形態において、ＡＰ０とＳＴＡ０とは１次リンク５０１を通して通信し、ＡＰ１とＳＴＡ１〜ＳＴＡＺとは、再使用リンク５１０を通して通信する。図１４において、ＡＰ０は、図８に関して示し、説明したような１次サウンディング８０５と類似する１次サウンディング１４０５を使用して交換を開始する。１次サウンディング１４０５は、ＮＤＰＡ１４０１と、ＮＤＰ１４０２と、ＣＳＩ  ＦＢ１４０３とを含んでいる。いくつかの実施形態では、ＡＰ０は、ＮＤＰＡ１４０１中で、再使用ＴＸ  ＡＰ１と許容されている再使用可能ストリームの最大数Ｚとを示してもよい。ＯＴＡパケットを傍受することによって、ＡＰ１は正のＺ値（例えば、Ｃ本のアンテナ＞Ｋ個の空間ストリーム）を達成するために十分なアンテナを有し、ＡＰ０のカバレッジを超えるいくつかのＳＴＡ（例えば、ＳＴＡ１〜ＳＴＡＺ）に対するバッファリングされたデータをＡＰ１は有していると、ＡＰ０は決定してもよい。ＡＰ０が、いくつかのＳＴＡへのＡＰ１のデータを検出するが、これらのＳＴＡからの何らかの肯定応答（ＡＣＫ）を検出しない場合、ＡＰ１によって担当されているが、ＡＰ０のカバレッジを超えるＳＴＡを、ＡＰ０は決定してもよい。再使用ＳＴＡのＡＰ１による選択を支援するために、ＡＰ０のカバレッジを超えるＡＰ１のＳＴＡのＩＤもＡＰ０はＮＤＰＡ１４０１中で示してもよい。ＡＰ１のチャネル推定を支援するために、ＳＴＡ０は、そのＣＳＩ  ＦＢ１４０３フレーム中で、そのＫ本の仮想アンテナからトレーニングシンボルを送ってもよい。トレーニングシンボルに基づいて、ＡＰ１は、ＳＴＡ０のＫ本の仮想アンテナへのＭＩＭＯチャネルを決定してもよく、その後、ＳＴＡ０に対する干渉を空間的にゼロにするためのＴＸ  ＢＦマトリックスを計算してもよい。
【００５８】
［００７５］
図１５は、ＡＰ０とＳＴＡ０との間での、および、ＡＰ１とＳＴＡ１〜ＳＴＡＺとの間でのメッセージの交換を図示したシーケンスダイヤグラムを描いている。図１５中に図示した交換は、図１４に関して上記で説明した交換を継続している。ＣＳＩ  ＦＢ１４０３の後、ＡＰ０は、再使用リンク５１０におけるサウンディング／フィードバック送信のための期間を予約する。再使用リンクサウンディング１４２５として呼ばれているこの期間の間、ＡＰ０のカバレッジを超える、せいぜいＺ個の再使用ＳＴＡをＡＰ１は選択し、（超高スループット（ＶＨＴ）ＭＵ−ＭＩＭＯサウンディングに類似している）ＡＰ１へのチャネルマトリックス情報のこれらのフィードバックを要請する。後にＮＤＰ１４０８が続くＮＤＰＡ１４０６を送ることによって、ＡＰ１は再使用リンクサウンディング１４２５を開始する。ＮＤＰＡ１４０６は、（例えば、ＡＰ０からの受信信号強度インジケータ（ＲＳＳＩ）を示す）ＡＰ１のカバレッジ内のＳＴＡからのＳＴＡ報告に、または、ＮＤＰＡ１４０１中のＡＰ０の表示に基づいて、ＡＰ０のカバレッジを超えるＳＴＡ（例えば、ＳＴＡ１〜ＳＴＡＺ）を識別する。ＮＤＰＡ１４０６とＮＤＰ１４０８とに応答して、ＳＴＡ（ＳＴＡ１〜ＳＴＡＺ）のそれぞれは、ＣＳＩ  ＦＢメッセージをＡＰ１に送るだろう。例えば、ＳＴＡ１は、ＣＳＩ  ＦＢ１４１０を、ＳＴＡＺは、ＣＳＩ  ＦＢ１４２０を、ＡＰ１に送ってもよい。ＡＰ１は、ＳＴＡ１〜ＳＴＡＺのそれぞれへの後のＢＦデータ送信に対して、ＣＳＩ  ＦＢメッセージを使用する。
【００５９】
［００７６］
再使用リンクサウンディング１４２５に対して予約されている期間の後、ＡＰ０は、ＴＸ  ＢＦで、Ｋ個のストリームを有するＰＰＤＵ１４３０をＳＴＡ０に送信する。ＰＰＤＵ１４３０は、プリアンブル部分１４３１とデータ部分１４３２とを備えている。ＡＰ０のブリアンブル部分１４３１の終端において、ＶＨＴ  ＤＬ  ＭＵ−ＭＩＭＯと類似する方法で、ＰＰＤＵ１４３０の間、ＡＰ１は、Ｚ個の再使用ＳＴＡ１〜ＺへのＺ個のデータストリーム１４３４をビーム形成する。ＡＰ１のビーム形成送信は、ＳＴＡ０とともにＳＴＡ１〜ＺからのＣＳＩ  ＦＢ（例えば、ＣＳＩ  ＦＢ１４１０〜１４２０）に基づいて形成される。ＡＰ１は、Ｚ個のデータストリーム１４３４をＳＴＡ１〜Ｚに送信している間、ＳＴＡ０に対する干渉を空間的にゼロにする。
【００６０】
［００７７］
いくつかの実施形態では、再使用サウンディング１４２５に対して予約されている期間は、再使用ＳＴＡの推定される最大数Ｚに基づいていてもよい。しかしながら、ＡＰ１は、Ｚ個より少ない実際の再使用ＳＴＡの数を有しているかもしれず、したがって、ＡＰ０は、再使用サウンディングに対して、過剰時間を予約するかもしれない。使用されない予約を最小化するために、ＡＰ１は、実際の再使用ＳＴＡの数に基づいて、実際に要求される期間を示すことができる。図１７は、ＡＰ０とＳＴＡとの間での、および、ＡＰ１とＳＴＡ１〜ＳＴＡＺとの間でのメッセージの交換を図示したシーケンスダイヤグラムである。図１７は、図１５中に図示した交換に類似しており、図１５中に図示した交換から適合されている。明確化のために、両方に共通のエレメントは、共通の参照表示を共有し、交換間の差のみをここで説明している。この実施形態では、ＡＰ１は、媒体を再使用する実際のＳＴＡの数に基づいて、実際に要求される期間を含むＮＤＰＡ１７０６を送信する。図１７は、再使用サウンディング１７２５のために予約されている、減少された期間を示している。ＡＰ１のＮＤＰＡを検出した後、ＡＰ０は、実際に要求された期間をデコードし、したがって、その後、再使用サウンディング１７２５のために実際に要求された期間の終端において、ＰＰＤＵ１４３０の送信を開始できる。
【００６１】
［００７８］
図１８は、ここで説明するある実施形態にしたがった、ワイヤレス通信の例示的な方法１８００のフローチャートである。図４〜１７に関して上記で議論したような、ＡＰ０、ＳＴＡ０、ＡＰ１、ＳＴＡ１間の通信を参照して方法１８００をここで説明するが、当業者は、方法１８００は、他の適切なデバイスおよびシステムによって実現できると認識するだろう。例えば、方法１８００は、ＳＴＡ２０６、ＳＴＡ０、ＳＴＡ１、あるいは、複数のＡＰ２０４、ＡＰ０またはＡＰ１によって実行してもよい。方法１８００は、さまざまな実施形態で、特定の順序を参照してここで説明されているが、ここでのブロックは、異なる順序で実行することができ、または、省略することができ、そして、追加のブロックを加えることができる。例えば、動作ブロック１８０４は、ある実施形態では、動作ブロック１８０６の後に送られてもよい。
【００６２】
［００７９］
動作ブロック１８０２において、第１のデバイスから第２のデバイスへの、第２のメッセージの送信を示す、第１のデバイスからの第１のメッセージを受信する。動作ブロック１８０４において、第２のデバイスにおける通信チャネルを決定するためのトレーニング情報を含む、第２のデバイスからの第３のメッセージを受信する。動作ブロック１８０６において、ビーム形成されたメッセージが、第２のデバイスにおける干渉をゼロにするように、トレーニング情報に少なくとも部分的に基づいて、ビーム形成されたメッセージを発生させる。動作ブロック１８０８において、第２のメッセージの送信と並行して、ビーム形成されたメッセージの第３のデバイスへの送信をスケジュールする。
【００６３】
［００８０］
ここで説明したある実施形態にしたがった、ワイヤレス通信のための装置が、方法１８００に関係付けられている機能のうちの１つ以上を実行してもよい。いくつかの実施形態では、装置は、第１のデバイスから第１のメッセージを受信し、第１のメッセージは、第１のデバイスから第２のデバイスへの、第２のメッセージの送信を示す手段と、第２のデバイスから第３のメッセージを受信し、第３のメッセージは、第２のデバイスにおける通信チャネルを決定するためのトレーニング情報を含む手段とを備えている。ある実施形態において、受信する手段は、トランシーバ３１４（図３）によって、または、受信機３１２（図３）によって実現できる。装置は、ビーム形成されたメッセージが、第２のデバイスにおける干渉をゼロにするように、トレーニング情報に少なくとも部分的に基づいて、ビーム形成されたメッセージを発生させる手段をさらに備えている。ある実施形態において、発生させる手段は、プロセッサ３０４（図３）によって、または、ＤＳＰ３２０（図３）によって実現できる。装置は、第２のメッセージの送信と並行して、ビーム形成されたメッセージの第３のデバイスへの送信をスケジューリングする手段をさらに備えている。ある実施形態において、スケジューリングする手段１９０６は、プロセッサ３０４（図３）によって、または、ＤＳＰ３２０（図３）によって実現できる。
【００６４】
［００８１］
「第１の」、「第２の」等のような指定を使用する、ここでのエレメントに対するいずれの参照も、一般的に、これらエレメントの数も順序も限定しないことを理解すべきである。むしろ、これらの指定は、２つ以上のエレメント、または、エレメントの事例の間での、ワイヤレスデバイスの便利な区分としてここで使用できる。したがって、第１および第２のエレメントへの参照は、２つのエレメントしかそこで採用されないこともあること、または、第１のエレメントがいくつかの方法で第２のエレメントに先行できることを意味するものではない。また、記載されていない限り、エレメントのセットは、１つ以上のエレメントを含むことができる。
【００６５】
［００８２］
さまざまな異なるテクノロジーおよび技術のうちの任意のものを使用して情報および信号を表すことができることを、当業者は理解するだろう。例えば、上記の説明全体を通して参照できるデータ、命令、コマンド、情報、信号、ビット、シンボル、および、チップは、電圧、電流、電磁波、磁界または磁粒、光界または光粒、あるいは、これらの任意の組み合わせによって表すことができる。
【００６６】
［００８３］
本開示で説明したインプリメンテーションに対するさまざまな変更が、当業者に容易に明白となり、ここで規定した一般的な原理は、本開示の精神または範囲から逸脱することなく他のインプリメンテーションに適用できる。したがって、本開示は、ここで示したインプリメンテーションに限定されるように意図しているものではなく、ここで開示した特許請求の範囲、原理、および、新規な特徴に一致した最も広い範囲が与えられるべきである。ワード「例示的な」は、「例、インスタンス、または例示として役割を果たすこと」を意味するように、ここで排他的に使用している。「例示的な」ものとしてここで説明する何れのインプリメンテーションも、他のインプリメンテーションと比較して、好ましいまたは有利なものと必ずしも解釈されるものではない。
【００６７】
［００８４］
別々のインプリメンテーションの状況において本明細書で説明したある特徴は、単一のインプリメンテーションにおいて組み合わせて実現することもできる。反対に、単一のインプリメンテーションの状況において説明したさまざまな特徴は、複数のインプリメンテーションにおいて別々に、または、任意の適切なサブコンビネーションにおいて実現することもできる。さらに、特徴は、ある組み合わせで作用するものとして上記で説明され、そのように最初に請求項中に記載されることさえもあるが、請求項中に記載されている組み合わせからの１つ以上の特徴は、いくつかのケースでは、組み合わせから削除することができ、請求項中に記載されている組み合わせは、サブコンビネーション、または、サブコンビネーションのバリエーションに向けられることがある。
【００６８】
［００８５］
上記で説明した方法のさまざまな動作は、さまざまなハードウェアおよび／またはソフトウェアコンポーネント、回路、ならびに／あるいは、モジュールのような、動作を実行することが可能な何らかの適切な手段によって実行できる。
一般的に、図面中に図示した任意の動作は、動作を実行することが可能な対応する機能手段によって実行できる。
【００６９】
［００８６］
本開示に関連して説明したさまざまな例示的な論理ブロック、モジュール、および、回路は、汎用プロセッサ、デジタル信号プロセッサ（ＤＳＰ）、特定用途向け集積回路（ＡＳＩＣ）、フィールドプログラム可能ゲートアレイ信号（ＦＰＧＡ）または他のプログラム可能論理デバイス（ＰＬＤ）、ディスクリートゲートまたはトランジスタ論理、ディスクリートハードウェアコンポーネント、あるいは、ここで説明した機能を実行するように設計されているこれらの任意の組み合わせにより実現しても、または実行してもよい。汎用プロセッサはマイクロプロセッサであってもよいが、代替実施形態では、プロセッサは、何らかの商業的に入手可能なプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアに関連する１つ以上のマイクロプロセッサ、または、他の何らかのこのようなコンフィギュレーションのような、コンピューティングデバイスの組み合わせとして実現してもよい。
【００７０】
［００８７］
１つ以上の態様では、説明した機能を、ハードウェア、ソフトウェア、ファームウェア、または、これらの任意の組み合わせで実現してもよい。ソフトウェアで実現する場合、機能は、１つ以上の命令またはコードとしてコンピュータ読取可能媒体上に記憶されていてもよく、あるいは、１つ以上の命令またはコードとしてコンピュータ読取可能媒体上で送信されてもよい。コンピュータ読取可能媒体は、１つの場所から別の場所へのコンピュータプログラムの転送を促進する任意の媒体を含む、コンピュータ記憶媒体および通信媒体の両方を含んでいる。記憶媒体は、コンピュータによってアクセスできる何らかの利用可能な媒体であるかもしれない。限定ではなく例として、このようなコンピュータ読取可能媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、コンピュータによってアクセスできる命令またはデータ構造の形態で所望のプログラムコードを運ぶまたは記憶するために使用できる他の何らかの媒体を含むことができる。また、任意の接続は、コンピュータ読取可能媒体と適切に呼ばれる。例えば、ソフトウェアが、ウェブサイトから、サーバから、あるいは、同軸ケーブルを、光ファイバケーブルを、撚り対を、デジタル加入者線（ＤＳＬ）を、または、赤外線、無線、マイクロ波のようなワイヤレステクノロジーを使用する他の遠隔ソースから送信される場合、同軸ケーブルや、光ファイバケーブルや、撚り対や、ＤＳＬや、または、赤外線、無線、マイクロ波のようなワイヤレステクノロジーは、媒体の定義中に含まれる。ここで使用したようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、およびブルーレイ（登録商標）ディスクを含むが、通常、ディスク（ｄｉｓｋ）はデータを磁気的に再生する一方で、ディスク（ｄｉｓｃ）はデータをレーザにより光学的に再生する。したがって、いくつかの態様では、コンピュータ読取可能媒体は、非一時的コンピュータ読取可能媒体（例えば、有形の媒体）を含んでいる。さらに、いくつかの態様では、コンピュータ読取可能媒体は、一時的コンピュータ読取可能媒体（例えば、信号）を含んでいる。上記の組み合わせも、コンピュータ読取可能媒体の範囲内に含まれるべきである。
【００７１】
［００８８］
ここで開示した方法は、説明した方法を達成するための１つ以上のステップまたはアクションを含んでいる。方法のステップおよび／またはアクションは、特許請求の範囲から逸脱することなく、互いに交換可能であってもよい。言い換えると、ステップまたはアクションの特定の順序が特定されていない限り、特定のステップおよび／またはアクションの順序および／または使用を、特許請求の範囲から逸脱することなく変更してもよい。
【００７２】
［００８９］
さらに、ここで説明した方法および技術を実行するモジュールおよび／または他の適切な手段を、ユーザ端末および／または基地局によって、適宜、ダウンロードできることを、および／または、そうでなければ取得できることを認識すべきである。例えば、このようなデバイスは、ここで説明した方法を実行する手段の転送を促進するように、サーバに結合することができる。代替的に、ここで説明したさまざまな方法は、記憶手段をデバイスに結合または提供する際に、ユーザ端末および／または基地局がさまざまな方法を取得することができるように、記憶手段（例えば、ＲＡＭ、ＲＯＭ、コンパクトディスク（ＣＤ）またはフロッピーディスクのような物理記憶媒体等）を介して提供することができる。さらに、ここで説明した方法および技術をデバイスに提供するための、他の何らかの適切な技術が利用できる。
【００７３】
［００９０］
上記は、本開示の態様に向けられているが、本開示の他の態様およびさらなる態様が、その基本的な範囲から逸脱することなく考案することができ、その範囲は、下記の特許請求の範囲によって決定される。
【図１】
2019208237.tif 000003
【図２】
2019208237.tif 000004
【図３】
2019208237.tif 000005
【図４】
2019208237.tif 000006
【図５】
2019208237.tif 000007
【図６】
2019208237.tif 000008
【図７】
2019208237.tif 000009
【図８】
2019208237.tif 000010
【図９】
2019208237.tif 000011
【図１０】
2019208237.tif 000012
【図１１】
2019208237.tif 000013
【図１２】
2019208237.tif 000014
【図１３】
2019208237.tif 000015
【図１４】
2019208237.tif 000016
【図１５】
2019208237.tif 000017
【図１６】
2019208237.tif 000018
【図１７】
2019208237.tif 000019
【図１８】
2019208237.tif 000020
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
第１のアクセスポイントにおいて、第１のリンクを通して第２のアクセスポイントから第１のメッセージを受信し、前記第１のメッセージは、前記第２のアクセスポイントからの第２のメッセージの送信を示し、前記第１のメッセージは、搬送波感知多元接続（ＣＳＭＡ）を介して前記第１のリンクを通して受信され、または、前記ＣＳＭＡを介して前記第２のアクセスポイントによって送られた以前のメッセージに続き、前記第２のメッセージは、前記第２のアクセスポイントの１本のアンテナを通してのみ送信されることと、
前記第１のアクセスポイントにおいて、トレーニング情報を含む第３のメッセージを受信することと、
第２のリンクを通してのビーム形成されたメッセージの送信が、前記第２のアクセスポイントからの前記第１のリンクを通しての前記第２のメッセージの送信との干渉をゼロにすることを実行するように、前記第１のアクセスポイントにおいて、前記トレーニング情報に少なくとも部分的に基づいて、前記第２のリンクを通しての送信のためのビーム形成されたメッセージを発生させることと、
前記第２のアクセスポイントからの前記第１のリンクを通しての前記第２のメッセージの送信と並行して、前記第１のアクセスポイントからの前記第２のリンクを通しての前記ビーム形成されたメッセージの送信をスケジューリングし、前記ビーム形成されたメッセージは、２本以上のアンテナを通して送信されることとを含む方法。
【請求項２】
前記ビーム形成されたメッセージは、物理レイヤデータユニット（ＰＰＤＵ）を含む請求項１記載の方法。
【請求項３】
前記ビーム形成されたメッセージの送信をスケジューリングすることは、前記ビーム形成されたメッセージが、前記第２のメッセージと同時にその送信を完了するように、前記ビーム形成されたメッセージをスケジューリングすることを含む請求項１記載の方法。
【請求項４】
前記第２のメッセージの送信のために使用される空間ストリームの数に少なくとも部分的に基づいて、前記ビーム形成されたメッセージを選択的に送信することをさらに含む請求項１記載の方法。
【請求項５】
前記第１のメッセージは、前記ビーム形成されたメッセージの発生のための、前記第１のアクセスポイントの少なくとも１つの送信機をさらに示す請求項１記載の方法。
【請求項６】
前記第１のメッセージは、それぞれ示された送信機に対応する受信機をさらに示す請求項５記載の方法。
【請求項７】
前記ビーム形成されたメッセージの送信をスケジューリングすることは、前記第２のメッセージのプリアンブル部分の後に、前記ビーム形成されたメッセージの送信をスケジューリングすることを含む請求項１記載の方法。
【請求項８】
第４のメッセージを送信し、前記第４のメッセージは、前記ビーム形成されたメッセージに対する、信号対干渉プラス雑音比（ＳＩＮＲ）と対応する送信レートとを推定するためのトレーニング情報を含むことと、
前記第４のメッセージに応答して、第５のメッセージを受信し、前記第５のメッセージは、前記ＳＩＮＲと前記送信レートとの推定を含むこととをさらに含む請求項１記載の方法。
【請求項９】
第６のメッセージを受信することをさらに含み、
前記第６のメッセージは、前記第２のアクセスポイントによる前記第２のメッセージの送信のための、推定されたＳＩＮＲおよび送信レートを含む請求項８記載の方法。
【請求項１０】
前記第５のメッセージ中の表示に少なくとも部分的に基づいて、前記ビーム形成されたメッセージを選択的に送信することをさらに含む請求項８記載の方法。
【請求項１１】
前記ビーム形成されたメッセージを受信する第１のデバイスを選択することをさらに含む請求項１記載の方法。
【請求項１２】
前記第１のデバイスを選択することは、前記第２のアクセスポイントからのパス損失に基づいて、前記第１のデバイスを選択することをさらに含む請求項１１記載の方法。
【請求項１３】
前記第１のデバイスを選択することは、前記第１のデバイスのアンテナの数に基づいて、前記第１のデバイスを選択することを含む請求項１１記載の方法。
【請求項１４】
前記第１のメッセージは、サウンディングフィードバック送信のための期間をさらに示す請求項１記載の方法。
【請求項１５】
前記第１のメッセージは、前記第１のアクセスポイントによる使用のためのストリームの最大数を示す請求項１記載の方法。
【請求項１６】
前記第１のメッセージは、前記第２のアクセスポイントの空間ストリーム数を示す請求項１記載の方法。
【請求項１７】
ワイヤレス通信のための第１のアクセスポイントにおいて、
第１のリンクを通して第２のアクセスポイントから第１のメッセージを受信し、前記第１のメッセージは、前記第２のアクセスポイントからの第２のメッセージの送信を示し、前記第１のメッセージは、搬送波感知多元接続（ＣＳＭＡ）を介して前記第１のリンクを通して受信され、または、前記ＣＳＭＡを介して前記第２のアクセスポイントによって送られた以前のメッセージに続くように構成され、トレーニング情報を含む第３のメッセージを受信するようにさらに構成され、前記第２のメッセージは、前記第２のアクセスポイントの１本のアンテナを通してのみ送信される受信機と、
第２のリンクを通してのビーム形成されたメッセージの送信が、前記第２のアクセスポイントからの前記第１のリンクを通しての前記第２のメッセージの送信との干渉をゼロにすることを実行するように、前記トレーニング情報に少なくとも部分的に基づいて、前記第２のリンクを通しての送信のためのビーム形成されたメッセージを発生させるように構成され、前記第２のアクセスポイントからの前記第１のリンクを通しての前記第２のメッセージの送信と並行して、前記第２のリンクを通しての前記ビーム形成されたメッセージの送信をスケジューリングするようにさらに構成され、前記ビーム形成されたメッセージは、２本以上のアンテナを通して送信されるプロセッサとを具備する第１のアクセスポイント。
【請求項１８】
前記プロセッサは、前記ビーム形成されたメッセージが、前記第２のメッセージと同時にその送信を完了するように、前記ビーム形成されたメッセージをスケジューリングするようにさらに構成されている請求項１７記載の第１のアクセスポイント。
【請求項１９】
前記第２のメッセージの送信のために使用される空間ストリームの数に少なくとも部分的に基づいて、前記ビーム形成されたメッセージを選択的に送信するように構成されている送信機をさらに具備する請求項１７記載の第１のアクセスポイント。
【請求項２０】
前記第１のメッセージは、前記ビーム形成されたメッセージの発生のための、前記第１のアクセスポイントの少なくとも１つの送信機をさらに示す請求項１７記載の第１のアクセスポイント。
【請求項２１】
前記プロセッサは、前記第２のメッセージのプリアンブル部分の後に、前記ビーム形成されたメッセージの送信をスケジューリングするようにさらに構成されている請求項１７記載の第１のアクセスポイント。
【請求項２２】
第４のメッセージを送信するように構成されている送信機をさらに具備し、前記第４のメッセージは、前記ビーム形成されたメッセージに対する、信号対干渉プラス雑音比（ＳＩＮＲ）と対応する送信レートとを推定するためのトレーニング情報を含み、
前記受信機は、前記第４のメッセージに応答して、第５のメッセージを受信するようにさらに構成され、
前記第５のメッセージは、前記ＳＩＮＲと前記送信レートとの推定を含む請求項１７記載の第１のアクセスポイント。
【請求項２３】
前記第２のメッセージ中の表示に少なくとも部分的に基づいて、前記ビーム形成されたメッセージを選択的に送信するように構成されている送信機をさらに具備する請求項１７記載の第１のアクセスポイント。
【請求項２４】
前記プロセッサは、第１のデバイスのアンテナの数に基づいて、前記ビーム形成されたメッセージを受信する前記第１のデバイスを選択するようにさらに構成されている請求項１７記載の第１のアクセスポイント。
【請求項２５】
前記プロセッサは、前記第２のアクセスポイントから前記第１のデバイスへのパス損失に基づいて、前記第１のデバイスを選択するようにさらに構成されている請求項２４記載の第１のアクセスポイント。
【請求項２６】
前記プロセッサは、前記ビーム形成されたメッセージの受信の間、ビーム形成パターンが前記第２のアクセスポイントにおける干渉をゼロにすることを実行するように、前記ビーム形成パターンを発生させるのに十分なアンテナを有する前記第１のデバイスに基づいて、前記第１のデバイスを選択するようにさらに構成されている請求項２４記載の第１のアクセスポイント。
【請求項２７】
ワイヤレス通信のための第１のアクセスポイントにおいて、
第１のリンクを通して第２のアクセスポイントから第１のメッセージを受信し、前記第１のメッセージは、前記第２のアクセスポイントからの第２のメッセージの送信を示し、前記第１のメッセージは、搬送波感知多元接続（ＣＳＭＡ）を介して前記第１のリンクを通して受信され、または、前記ＣＳＭＡを介して前記第２のアクセスポイントによって送られた以前のメッセージに続き、前記第２のメッセージは、前記第２のアクセスポイントの１本のアンテナを通してのみ送信される手段と、
トレーニング情報を含む第３のメッセージを受信する手段と、
第２のリンクを通してのビーム形成されたメッセージの送信が、前記第２のアクセスポイントからの前記第１のリンクを通しての前記第２のメッセージの送信との干渉をゼロにすることを実行するように、前記トレーニング情報に少なくとも部分的に基づいて、前記第２のリンクを通しての送信のためのビーム形成されたメッセージを発生させる手段と、
前記第２のアクセスポイントからの前記第１のリンクを通しての前記第２のメッセージの送信と並行して、前記第２のリンクを通しての前記ビーム形成されたメッセージの前記第１のアクセスポイントにおける送信をスケジューリングし、前記ビーム形成されたメッセージは、２本以上のアンテナを通して送信される手段とを具備する第１のアクセスポイント。
【請求項２８】
装置において、
処理システムを具備し、
前記処理システムは、第１のリンクを通してアクセスポイントから第１のメッセージを受信し、前記第１のメッセージは、前記アクセスポイントからの第２のメッセージの送信を示し、前記第１のメッセージは、搬送波感知多元接続（ＣＳＭＡ）を介して前記第１のリンクを通して受信され、または、前記ＣＳＭＡを介して前記アクセスポイントによって送られた以前のメッセージに続くように構成され、
前記処理システムは、トレーニング情報を含む第３のメッセージを受信するようにさらに構成され、
前記処理システムは、第２のリンクを通してのビーム形成されたメッセージの送信が、前記アクセスポイントからの前記第１のリンクを通しての前記第２のメッセージの送信との干渉をゼロにすることを実行するように、前記トレーニング情報に少なくとも部分的に基づいて、前記第２のリンクを通しての送信のためのビーム形成されたメッセージを発生させるようにさらに構成され、
前記処理システムは、前記アクセスポイントからの前記第２のメッセージの送信と並行して、前記ビーム形成されたメッセージの送信をスケジューリングするようにさらに構成され、
前記第２のメッセージは、前記アクセスポイントの１本のアンテナを通してのみ送信され、
前記ビーム形成されたメッセージは、２本以上のアンテナを通して送信される装置。
【手続補正２】
【補正対象書類名】明細書
【補正対象項目名】００７３
【補正方法】変更
【補正の内容】
【００７３】
［００９０］
上記は、本開示の態様に向けられているが、本開示の他の態様およびさらなる態様が、その基本的な範囲から逸脱することなく考案することができ、その範囲は、下記の特許請求の範囲によって決定される。
以下に、本願出願の当初の特許請求の範囲に記載された発明を付記する。
［１］  ワイヤレス通信の方法において、
第１のデバイスから第１のメッセージを受信し、前記第１のメッセージは、前記第１のデバイスから第２のデバイスへの、第２のメッセージの送信を示すことと、
前記第２のデバイスから第３のメッセージを受信し、前記第３のメッセージは、前記第２のデバイスにおける通信チャネルを決定するためのトレーニング情報を含むことと、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させることと、
前記第２のメッセージの送信と並行して、前記ビーム形成されたメッセージの第３のデバイスへの送信をスケジューリングすることとを含む方法。
［２］  前記ビーム形成されたメッセージは、物理レイヤデータユニット（ＰＰＤＵ）を含む［１］記載の方法。
［３］  前記ビーム形成されたメッセージの送信をスケジューリングすることは、前記ビーム形成されたメッセージが、前記第３のメッセージと同時にその送信を完了するように、前記ビーム形成されたメッセージをスケジューリングすることを含む［１］記載の方法。
［４］  前記ビーム形成されたメッセージを２本以上のアンテナを通して送信することをさらに含む［１］記載の方法。
［５］  前記第１のメッセージは、前記第２のメッセージの送信のための空間ストリームの数をさらに示す［１］記載の方法。
［６］  前記第２のメッセージの送信のための空間ストリームの数に少なくとも部分的に基づいて、前記ビーム形成されたメッセージを選択的に送信することをさらに含む［５］記載の方法。
［７］  前記第１のメッセージは、前記ビーム形成されたメッセージを発生させる、通信リンク中の少なくとも１つの送信機をさらに示す［１］記載の方法。
［８］  前記第１のメッセージは、前記通信リンク中のそれぞれ示された送信機に対応する受信機をさらに示す［７］記載の方法。
［９］  前記第１のメッセージは、搬送波感知多元接続（ＣＳＭＡ）を介して送信することができ、または、ＣＳＭＡを介して前記第１のデバイスによって送られた以前のメッセージに続くことができる［１］記載の方法。
［１０］  前記ビーム形成されたメッセージの送信をスケジューリングすることは、前記第２のメッセージのプリアンブル部分の後に、前記ビーム形成されたメッセージの送信をスケジューリングすることを含む［１］記載の方法。
［１１］  第４のメッセージを送信し、前記第４のメッセージは、送信レートに対応する空間ストリーム毎の信号対干渉プラス雑音比（ＳＩＮＲ）を推定するためのトレーニング情報を含むことと、
前記第４のメッセージに応答して、前記第３のデバイスから第５のメッセージを受信し、前記第５のメッセージは、推定されたＳＩＮＲと送信レートとを含むこととをさらに含む［１］記載の方法。
［１２］  前記第２のデバイスから第６のメッセージを受信することをさらに含み、
前記第６のメッセージは、前記第１および前記第４のメッセージに基づいており、前記第１のデバイスによる前記第２のメッセージの送信のための、推定されたＳＩＮＲと送信レートとを含む［１１］記載の方法。
［１３］  前記第２のメッセージ中の表示に少なくとも部分的に基づいて、前記ビーム形成されたメッセージを選択的に送信することをさらに含む［１１］記載の方法。
［１４］  前記第３のデバイスのアンテナの数に基づいて、前記第３のデバイスを選択することをさらに含む［１］記載の方法。
［１５］  前記第３のデバイスを選択することは、前記第１のデバイスから前記第３のデバイスへのパス損失に基づいて、前記第３のデバイスを選択することをさらに含む［１４］記載の方法。
［１６］  前記第３のデバイスを選択することは、前記ビーム形成されたメッセージの受信の間、ビーム形成パターンが前記第１のデバイスにおける干渉をゼロにすることを実行するように、前記ビーム形成パターンを発生させるのに十分なアンテナを有する前記第３のデバイスに基づいて、前記第３のデバイスを選択することを含む［１４］記載の方法。
［１７］  ワイヤレス通信の装置において、
第１のデバイスから第１のメッセージを受信し、前記第１のメッセージは、前記第１のデバイスから第２のデバイスへの、第２のメッセージの送信を示すように構成され、前記第２のデバイスから第３のメッセージを受信し、前記第３のメッセージは、前記第２のデバイスにおける通信チャネルを決定するためのトレーニング情報を含むようにさらに構成されている受信機と、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させるように構成されているプロセッサとを具備し、
前記プロセッサは、前記第２のメッセージの送信と並行して、前記ビーム形成されたメッセージの第３のデバイスへの送信をスケジューリングするようにさらに構成されている装置。
［１８］  前記プロセッサは、前記ビーム形成されたメッセージが、前記第３のメッセージと同時にその送信を完了するように、前記ビーム形成されたメッセージをスケジューリングするようにさらに構成されている［１７］記載の装置。
［１９］  前記第１のメッセージは、前記第２のメッセージの送信のための空間ストリームの数をさらに示す［１７］記載の装置。
［２０］  前記第２のメッセージの送信のための空間ストリームの数に少なくとも部分的に基づいて、前記ビーム形成されたメッセージを選択的に送信することをさらに含む［１９］記載の装置。
［２１］  前記第１のメッセージは、前記ビーム形成されたメッセージを発生させる、通信リンク中の少なくとも１つの送信機をさらに示す［１７］記載の装置。
［２２］  前記プロセッサは、前記第２のメッセージのプリアンブル部分の後に、前記ビーム形成されたメッセージの送信をスケジューリングするようにさらに構成されている［１７］記載の装置。
［２３］  第４のメッセージを送信するように構成されている送信機をさらに具備し、前記第４のメッセージは、送信レートに対応する空間ストリーム毎の信号対干渉プラス雑音比（ＳＩＮＲ）を推定するためのトレーニング情報を含み、
前記受信機は、前記第４のメッセージに応答して、前記第３のデバイスから第５のメッセージを受信するようにさらに構成され、
前記第５のメッセージは、推定されたＳＩＮＲと送信レートとを含む［１７］記載の装置。
［２４］  前記受信機は、前記第２のデバイスから第６のメッセージを受信するようにさらに構成され、
前記第６のメッセージは、前記第１および前記第４のメッセージに基づいており、前記第１のデバイスによる前記第２のメッセージの送信のための、推定されたＳＩＮＲと送信レートとを含む［２３］記載の装置。
［２５］  送信機は、前記第２のメッセージ中の表示に少なくとも部分的に基づいて、前記ビーム形成されたメッセージを選択的に送信するようにさらに構成されている［１７］記載の装置。
［２６］  前記プロセッサは、前記第３のデバイスのアンテナの数に基づいて、前記第３のデバイスを選択するようにさらに構成されている［１７］記載の装置。
［２７］  前記プロセッサは、前記第１のデバイスから前記第３のデバイスへのパス損失に基づいて、前記第３のデバイスを選択するようにさらに構成されている［２６］記載の装置。
［２８］  前記プロセッサは、前記ビーム形成されたメッセージの受信の間、ビーム形成パターンが前記第１のデバイスにおける干渉をゼロにすることを実行するように、前記ビーム形成パターンを発生させるのに十分なアンテナを有する前記第３のデバイスに基づいて、前記第３のデバイスを選択するようにさらに構成されている［２６］記載の装置。
［２９］  ワイヤレス通信の装置において、
第１のデバイスから第１のメッセージを受信し、前記第１のメッセージは、前記第１のデバイスから第２のデバイスへの、第２のメッセージの送信を示す手段と、
前記第２のデバイスから第３のメッセージを受信し、前記第３のメッセージは、前記第２のデバイスにおける通信チャネルを決定するためのトレーニング情報を含む手段と、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させる手段と、
前記第２のメッセージの送信と並行して、前記ビーム形成されたメッセージの第３のデバイスへの送信をスケジューリングする手段とを具備する装置。
［３０］  命令を含む非一時的コンピュータ読取可能媒体において、命令は、実行されるとき、プロセッサに、
第１のデバイスから第１のメッセージを受信し、前記第１のメッセージは、前記第１のデバイスから第２のデバイスへの、第２のメッセージの送信を示すことと、
前記第２のデバイスから第３のメッセージを受信し、前記第３のメッセージは、前記第２のデバイスにおける通信チャネルを決定するためのトレーニング情報を含むことと、
ビーム形成されたメッセージの送信が、前記第２のデバイスにおける干渉をゼロにすることを実行するように、前記トレーニング情報に少なくとも部分的に基づいて、送信のためのビーム形成されたメッセージを発生させることと、
前記第２のメッセージの送信と並行して、前記ビーム形成されたメッセージの第３のデバイスへの送信をスケジューリングすることとの方法を実行させる非一時的コンピュータ読取可能媒体。
【外国語明細書】
2019208237000001.pdf